(57)【特許請求の範囲】
【請求項１】
携帯送信用の画像の撮影を含む複数回の撮影を行う撮影部と、
前記撮影部の撮影として、携帯送信用の画像の撮影を行うコースが選択され、撮影が行われた場合、その撮影により得られた利用者の端末に適した携帯送信用の画像を他の装置に必ず送信する送信部と
を備える画像処理装置。
【請求項２】
前記携帯送信用の画像の撮影を行うか否かを、利用者に選択させる
請求項１に記載の画像処理装置。
【請求項３】
前記送信部は、前記携帯送信用の画像の撮影は行われなかったが、携帯送信用の画像の編集は行われたと判断された場合、その編集により得られた画像を他の装置に必ず送信する
請求項１または２に記載の画像処理装置。
【請求項４】
携帯送信用の画像の撮影を含む複数回の撮影を行い、
前記携帯送信用の画像の撮影を行うコースが選択され、撮影が行われた場合、その撮影により得られた利用者の端末に適した携帯送信用の画像を他の装置に必ず送信する
ステップを含む画像処理方法。
【請求項５】
携帯送信用の画像の撮影を含む複数回の撮影を行い、
前記携帯送信用の画像の撮影を行うコースが選択され、撮影が行われた場合、その撮影により得られた利用者の端末に適した携帯送信用の画像を他の装置に必ず送信する
ステップを含む処理を実行させるためのコンピュータ読み取り可能なプログラム。
【発明の詳細な説明】
【技術分野】
【０００１】
本技術は、画像処理装置、画像処理方法、並びにプログラムに関する。詳しくは、撮影され、編集された画像を、適切なタイミングで他の装置に供給することができる画像処理装置、画像処理方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００３】
近年は、編集作業後、編集済み画像がシール紙に印刷されるまでの待ち時間に行われる事後接客において、シール紙に印刷される撮影画像や編集済み画像をサーバに送信・保存し、利用者が所有する携帯端末からそのサーバにアクセスし、保存された画像を取得することで、利用者は、携帯端末上で、撮影画像や編集済み画像を利用することができるようになっている。具体的には、利用者は、取得した画像を、携帯端末からウェブ上で管理されているブログ（Blog：web log）にアップロードすることで、その画像を不特定多数の人に公開するなどすることができる。
【０００４】
さらに、写真シール機から携帯端末に画像を得る方法として、写真シール機で携帯端末のアドレスを入力し、画像が保存されているＵＲＬにアクセスすると保存画像を得ることができたり、または、携帯送信処理を選択したが、アドレスの入力が完了していない利用者に対して、画像保存先ＩＤをシール紙に印字し、利用者がサイトにアクセスした後、ＩＤ入力により、保存画像を得ることができる写真シール機がある。
【０００５】
さらに、従来の写真シール機であれば、印刷中の待ち時間に利用者に「携帯送信する」か「その他のミニゲームする」を選択させ、「携帯送信する」を選択させると、利用者のアドレス入力をさせ、送信したい画像を選択させることが通常であり、それぞれの選択に時間が設定されている。（特許文献１参照）
【先行技術文献】
【特許文献】
【０００６】
【特許文献１】特開２０１２−３９４１３号公報
【発明の概要】
【発明が解決しようとする課題】
【０００７】
写真シール機によっては、事後接客処理の内容を決める選択画面は、編集ブースの編集前に行われることがある。編集ブースでは、例えば、「携帯送信する」と「その他のミニゲームをする」が選択できる選択画面が、所定の時間だけ表示され、選択されなかったときには、「その他のミニゲームをする」が選択されたとして処理されるように構成されている。
【０００８】
例えば、撮影ブースから編集ブースに移動するのに時間がかかり、選択画面が表示される所定の時間が経過してしまい、結果として、選択画面での「携帯送信する」という項目を選択できず、デフォルトの「その他のミニゲームをする」が選択された状態になってしまうことがあった。そのような場合、利用者は、携帯送信したいと所望していたにもかかわらず、携帯送信の処理を行えない。
【０００９】
このような「携帯送信する」が選択されなかった場合、利用者の撮影画像や編集画像は、サーバに保存されることがなく、せっかくゲームで遊んだのに利用者は画像が携帯電話機などで取得できない場合があった。このようなことは利用者の満足度を低下させてしまうため、防ぐ必要がある。
【００１０】
本技術は、このような状況に鑑みてなされたものであり、撮影され、編集された画像を、適切なタイミングで他の装置に供給することができるようにするものである。
【課題を解決するための手段】
【００１１】
本技術の一側面の画像処理装置は、携帯送信用の画像の撮影を含む複数回の撮影を行う撮影部と、前記撮影部の撮影として、携帯送信用の画像の撮影を行うコースが選択され、撮影が行われた場合、その撮影により得られた利用者の端末に適した携帯送信用の画像を他の装置に必ず送信する送信部とを備える。
【００１２】
前記携帯送信用の画像の撮影を行うか否かを、ユーザに選択させるようにすることができる。
前記送信部は、前記携帯送信用の画像の撮影は行われなかったが、携帯送信用の画像の編集は行われたと判断された場合、その編集により得られた画像を他の装置に必ず送信するようにすることができる。
【００１３】
本技術の一側面の画像処理方法は、携帯送信用の画像の撮影を含む複数回の撮影を行い、前記携帯送信用の画像の撮影を行うコースが選択され、撮影が行われた場合、その撮影により得られた利用者の端末に適した携帯送信用の画像を他の装置に必ず送信するステップを含む。
本技術の一側面のプログラムは、携帯送信用の画像の撮影を含む複数回の撮影を行い、前記携帯送信用の画像の撮影を行うコースが選択され、撮影が行われた場合、その撮影により得られた利用者の端末に適した携帯送信用の画像を他の装置に必ず送信するステップを含む処理を実行させる。
【００１４】
本技術の一側面の画像処理装置、画像処理方法、並びにプログラムにおいては、携帯送信用の画像の撮影を含む複数回の撮影が行われ、撮影として、携帯送信用の画像の撮影が行われるコースが選択され、撮影が行われた場合、その撮影により得られた利用者の端末に適した携帯送信用の画像が他の装置に必ず送信される。
【発明の効果】
【００１５】
本技術の一側面によれば、撮影され、編集された画像を、適切なタイミングで他の装置に供給することができる。
【図面の簡単な説明】
【００１６】
【図１】本発明の一実施形態に係る情報処理システムの構成例を示す図である。
【図２】写真シール作成装置の外観の構成例を示す斜視図である。
【図３】写真シール作成装置の外観を他の角度からみた斜視図である。
【図４】利用者の移動について説明する図である。
【図５】撮影部の構成例を示す図である。
【図６】撮影・表示ユニットの詳細な構成例を示す図である。
【図７】カメラの詳細な構成例を示す図である。
【図８】カメラ支持部の構成例を示す図である。
【図９】背景部の構成例を示す図である。
【図１０】背景部の床の外観の構成例を示す図である。
【図１１】床の傾斜により得られる効果について説明する図である。
【図１２】背景部のクロマキー用シートについて説明する図である。
【図１３】編集部の構成例を示す図である。
【図１４】事後接客部の構成例を示す図である。
【図１５】写真シール作成装置の内部の構成例を示すブロック図である。
【図１６】制御部の詳細な構成例を示す機能ブロック図である。
【図１７】撮影処理部の詳細な構成例を示す機能ブロック図である。
【図１８】写真シール作成ゲームを提供する処理について説明するフローチャートである。
【図１９】撮影処理について説明するフローチャートである。
【図２０】撮影処理について説明するフローチャートである。
【図２１】下カメラアップ撮影時のライブビュー表示画面の例を示す図である。
【図２２】上カメラアップ撮影時のライブビュー表示画面の例を示す図である。
【図２３】上カメラ全身撮影のガイダンス画面の例を示す図である。
【図２４】上カメラ全身撮影時のライブビュー表示画面の例を示す図である。
【図２５】上カメラ全身撮影処理について説明するフローチャートである。
【図２６】ライブビュー画像の例を示す図である。
【図２７】色範囲の検出について説明する図である。
【図２８】コーナー画像の例を示す図である。
【図２９】上カメラ全身画像の例を示す図である。
【図３０】目サイズ、明るさ選択に係わる処理について説明するフローチャートである。
【図３１】目サイズ、明るさ選択画面の例を示す図である。
【図３２】編集処理について説明するためのフローチャートである。
【図３３】編集画面の一例を示す図である。
【図３４】ケータイおまけの作成処理について説明するフローチャートである。
【図３５】加工を行う否かを選択させる選択画面の一例を示す図である。
【図３６】切り取り画面の一例を示す図である。
【図３７】切り取り中であることを利用者に認識させるための画面の一例を示す図である。
【図３８】加工選択画面の一例を示す図である。
【図３９】編集画面の一例を示す図である。
【図４０】背景を再選択する際に利用者に提示される画面の一例を示す図である。
【図４１】画像送信に係わる処理１について説明するフローチャートである。
【図４２】事後接客時のゲームを選択する選択画面の一例を示す図である。
【図４３】画像送信に係わる処理２について説明するフローチャートである。
【図４４】事後接客処理の詳細を説明するフローチャートである。
【図４５】撮影処理２について説明するフローチャートである。
【図４６】撮影処理２について説明するフローチャートである。
【図４７】画像送信に係わる処理３について説明するフローチャートである。
【発明を実施するための形態】
【００１７】
以下に、本技術の実施の形態について図面を参照して説明する。
【００１８】
［情報処理システムの構成例］
図１は、本発明の一実施形態に係る情報処理システムの構成例を示す図である。図１の情報処理システムは、写真シール作成装置１、携帯端末２、および管理サーバ３から構成される。携帯端末２は、写真シール作成装置１が提供するゲームを行い、シール紙を受け取る利用者が携帯している携帯電話機などの端末装置であり、管理サーバ３は、例えば写真シール作成装置１のメーカーが管理する情報処理装置である。
【００１９】
写真シール作成装置１には、非接触型ICとの間で近接通信を行うリーダ／ライタが設けられ、携帯端末２には非接触型ICが内蔵されている。図１の情報処理システムにおいて、写真シール作成装置１と携帯端末２の間の情報の送受信は、携帯端末２が写真シール作成装置１のリーダ／ライタにかざされたときに、非接触型ICを用いた近接通信により行われる。写真シール作成装置１と管理サーバ３の間、携帯端末２と管理サーバ３の間の情報の送受信は、インターネットなどのネットワークを介して行われる。
【００２０】
写真シール作成装置１には携帯送信の機能が用意されている。携帯端末２の利用者は、写真シール作成装置１が提供する写真シール作成ゲームにおいて携帯送信の機能を利用することができる。
【００２１】
携帯送信は、写真シール作成装置１で作成した画像が携帯端末２で見ることができるように、写真シール作成装置１で作成した画像を管理サーバ３に送信する機能である。例えば撮影画像の編集が終了したとき、利用者は、写真シール作成装置１の画面に表示される画像の中から、管理サーバ３に保存しておく画像を選択する。
【００２２】
利用者により選択された画像は、利用者により入力されたメールアドレスもしくは、非接触型ＩＣにより取得されたメールアドレスとともに管理サーバ３に送信され、管理サーバ３が有する記憶媒体に保存（記憶）される。保存先を表すＵＲＬを含む電子メールが管理サーバ３から携帯端末２に送信され、利用者が携帯端末２を操作して電子メールに含まれるＵＲＬに対するアクセスを指示したとき、ＵＲＬに基づいてアクセスが行われ、写真シール作成装置１から管理サーバ３に送信しておいた画像が携帯端末２のモニタに表示される。
【００２３】
携帯端末２の利用者は、携帯端末２のモニタに表示させた画像を待ち受け画面に設定したりすることができる。
【００２４】
情報処理システムの一連の動作については後述する。
【００２５】
［写真シール作成装置の外観構成］
図２は、本発明の一実施形態に係る写真シール作成装置１の外観の構成例を示す斜視図である。
【００２６】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２７】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２８】
図２に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００２９】
撮影ユニット１１は、撮影部２１と背景部２２から構成される。撮影部２１と背景部２２は所定の距離だけ離れて設置され、撮影部２１と背景部２２の間に形成される空間である撮影空間において撮影作業が行われる。
【００３０】
撮影部２１は撮影作業を利用者に行わせる装置である。撮影部２１は、撮影空間に入り、撮影作業を行っている利用者の正面に位置する。撮影空間を正面に望む面を構成する撮影部２１の正面パネル４１には、撮影作業時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂ（図示せず）により構成される。
【００３１】
背景部２２は、正面を向いて撮影作業を行っている利用者の背面側に位置する板状の部材である背面パネル５１、背面パネル５１の左端に取り付けられ、側面パネル４２Ａとほぼ同じ幅の板状の部材である側面パネル５２Ａ、および、背面パネル５１の右端に取り付けられ、側面パネル４２Ｂとほぼ同じ幅の板状の部材である側面パネル５２Ｂ（図３）から構成される。
【００３２】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３３】
撮影部２１の側面パネル４２Ａ、連結部２３Ａ、および背景部２２の側面パネル５２Ａに囲まれることによって形成される開口が撮影空間の出入り口Ｇ１となる。なお、図示はしないが、撮影部２１の側面パネル４２Ｂ、連結部２３Ｂ、および背景部２２の側面パネル５２Ｂに囲まれることによって形成される開口も撮影空間の出入り口Ｇ２となる。
【００３４】
撮影空間の上方には、撮影部２１の正面パネル４１、連結部２３Ａ、連結部２３Ｂ、および背景部２２の背面パネル５１に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３５】
なお、撮影空間にいる利用者の正面−背面方向を奥行き方向とすると、撮影ユニット１１の寸法（奥行き、幅、および高さ）は、例えば、1850mm×1800mm×2225mmとされる。
【００３６】
編集部１２は、撮影作業によって得られた画像を編集する編集作業を利用者に行わせる装置である。編集部１２は、一方の側面が撮影部２１の正面パネル４１の背面に接するように撮影ユニット１１に連結して設けられる。編集部１２には、編集作業時に利用者により用いられるタブレット内蔵モニタなどの構成が設けられる。
【００３７】
図２に示す編集部１２の構成を正面側の構成とすると、２組の利用者が同時に編集作業を行うことができるように、編集部１２の正面側と背面側には編集作業に用いられる構成がそれぞれ設けられる。
【００３８】
編集部１２の正面側は、床面に対して垂直な面であり、側面パネル４２Ａとほぼ平行な面である面７１と、面７１の上方に形成された斜面７２から構成され、編集作業に用いられる構成が斜面７２に設けられる。斜面７２の左側には、柱状の形状を有し、照明装置７４の一端を支持する支持部７３Ａが設けられる。斜面７２の右側にも、照明装置７４の他端を支持する支持部７３Ｂ（図３）が設けられる。さらに、支持部７３Ａの左側には、板状の形状を有し、事後接客部１３が連結して設けられる支持部７３Ｃが設けられる。また、支持部７３Ｃの上面にはカーテンレール２６を支持する支持部７５が設けられる。
【００３９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４０】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集作業を行う編集空間となる。
【００４１】
図３は、写真シール作成装置１を別の角度から見た斜視図である。
【００４２】
事後接客部１３は利用者に対して事後接客を行う装置である。事後接客では、撮影画像や編集済みの画像が携帯電話機などの携帯端末に送信される。
【００４３】
図３に示すように、事後接客部１３は、所定の厚さを有する板状の筐体を有しており、その背面が編集部１２の左側面に接するように編集部１２に連結して設けられる。事後接客部１３の正面には、事後接客時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者に対して事後接客を行う事後接客空間となる。
【００４４】
ここで、写真シール作成ゲームの流れと、それに伴う利用者の移動について図４を参照して説明する。図４は、写真シール作成装置１を上から見た平面図である。
【００４５】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影作業を行う。
【００４６】
撮影作業を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４７】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集作業を開始する。編集空間Ａ２−１の利用者と、編集空間Ａ２−２の利用者は同時に編集作業を行うことができる。
【００４８】
編集作業が終了した後、撮影画像や編集済みの画像の中から選択された画像の印刷が開始される。画像の印刷中、編集作業を終えた利用者は、編集空間Ａ２−１で編集作業を行っていた場合には白抜き矢印＃５で示すように編集空間Ａ２−１から事後接客空間Ａ３に移動して事後接客を受ける。また、編集作業を終えた利用者は、編集空間Ａ２−２で編集作業を行っていた場合には白抜き矢印＃６で示すように編集空間Ａ２−２から事後接客空間Ａ３に移動し、事後接客空間Ａ３において事後接客を受ける。
【００４９】
画像の印刷が終了したとき、利用者は、事後接客部１３に設けられた排出口からシール紙を受け取り、一連の写真シール作成ゲームを終えることになる。
【００５０】
次に、各装置の構成について説明する。
【００５１】
［撮影部の構成］
図５は、撮影部２１の構成例を示す図である。撮影部２１は、正面パネル４１、側面パネル４２Ａ、および側面パネル４２Ｂが、箱状の形状を有するベース部４３に取り付けられることによって構成される。
【００５２】
正面パネル４１は撮影空間Ａ１で撮影作業を行う利用者の正面に位置し、側面パネル４２Ａと側面パネル４２Ｂは、それぞれ、撮影空間Ａ１で撮影作業を行う利用者の左側、右側に位置する。側面パネル４２Ａの上方には連結部２３Ａが固定され、側面パネル４２Ｂの上方には連結部２３Ｂが固定される。
【００５３】
正面パネル４１のほぼ中央には撮影・表示ユニット８１が設けられる。撮影・表示ユニット８１は、カメラ９１、カメラストロボ９２、およびタッチパネルモニタ９３から構成される。
【００５４】
カメラ９１は、CCD(Charge Coupled Device)などの撮像素子を有する撮像装置を含むように構成され、撮影空間Ａ１にいる利用者を撮影する。カメラ９１により取り込まれた動画像（ライブビュー画像）は、タッチパネルモニタ９３にリアルタイムで表示される。利用者により撮影が指示されたときなどの所定のタイミングでカメラ９１により取り込まれた画像は撮影画像（静止画像）として保存される。なお、カメラ９１により取り込まれた画像、すなわち、ライブビュー画像および撮影画像を併せて、以下、取り込み画像ともいう。
【００５５】
カメラ９１の背面側には、カメラストロボ９２が設けられ、カメラ９１は、カメラストロボ９２の表面側で上下方向に駆動（移動）するようになされている。カメラストロボ９２は、発光面を構成するアクリル板と、その背後に設けられる蛍光灯等の照明装置とから構成され、他のストロボと同様にカメラ９１による撮影に合わせて発光する。カメラストロボ９２においては、カメラ９１の上下方向の位置に応じて露出する部分が発光面となる。すなわち、カメラストロボ９２は、カメラ９１の上下方向の位置に応じて、被写体としての利用者の顔付近をカメラ９１の上方または下方から照射する。
【００５６】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００５７】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５８】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００５９】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影作業の内容に応じて適宜調整される。
【００６０】
また、足元ストロボ８６の右側には、利用者がお金を投入する硬貨投入返却口８７が設けられる。
【００６１】
さらに、下ストロボ８５の上側であって、タッチパネルモニタ９３の左側には、利用者を左下前方から照射するモニタ左ストロボ８８が設けられ、タッチパネルモニタ９３の右側には、利用者を右下前方から照射するモニタ右ストロボ８９が設けられる。
【００６２】
なお、各ストロボ内部には、蛍光灯以外の照明装置が設けられてもよい。
【００６３】
下ストロボ８５を挟んでベース部４３の上面の左右に形成されるスペース４３Ａおよび４３Ｂは、撮影作業を行う利用者が手荷物等を置くための荷物置き場として用いられる。また、正面パネル４１の例えば天井付近には、利用者に撮影作業を行わせる撮影処理の案内音声、BGM(Back Ground Music)、効果音等の音を出力するスピーカも設けられる。
【００６４】
ここで、カメラ９１の上下方向の駆動について説明する。
【００６５】
撮影処理においては、カメラ９１の上下方向の位置が、被写体としての利用者を、利用者から見て前方正面から撮影する位置と、利用者から見て前方斜め上から撮影する位置とになるように、カメラ９１を上下方向に駆動させて撮影が行われる。
【００６６】
以下、適宜、利用者を前方正面から撮影する位置にあるカメラ９１を下カメラといい、利用者を前方斜め上から撮影する位置にあるカメラ９１を上カメラという。
【００６７】
［撮影・表示ユニットの構成例］
図６は、上下方向に駆動するカメラ９１を含む撮影・表示ユニット８１の詳細な構成例を示している。
【００６８】
図６Ａに示されるように、撮影・表示ユニット８１は、縦長の直方体の形状を有する筐体の一側面に、カメラ９１、カメラストロボ９２、およびタッチパネルモニタ９３が設けられることで構成される。カメラ９１およびカメラストロボ９２の周囲には、それらを囲うような額縁状のカバー９４が設けられており、カメラ９１は、カバー９４の開口部の範囲内で上下方向に駆動する。
【００６９】
図６Ｂは、図６Ａの状態から、タッチパネルモニタ９３およびカバー９４を取り外した撮影・表示ユニット８１を示している。図６Ｂに示されるように、カメラ９１は、カメラストロボ９２の発光面を構成するアクリル板９５と一体に構成されており、アクリル板９５は、カメラ９１とともに上下方向に駆動する。また、カメラ９１は、カメラ支持部９６によってその側面が支持されており、カメラ支持部９６に設けられたガイド溝に従って上下方向に駆動する。
【００７０】
図６Ｃは、図６Ｂの状態から、アクリル板９５を取り外した撮影・表示ユニット８１を示している。図６Ｃに示されるように、カメラ９１の背面上方には、カメラ上蛍光灯９７Ｕが設けられ、カメラ９１の背面下方には、カメラ下蛍光灯９７Ｄが設けられている。カメラ９１は、カメラストロボ９２を構成する照明装置としてのカメラ上蛍光灯９７Ｕおよびカメラ下蛍光灯９７Ｄと一体に構成されており、カメラ上蛍光灯９７Ｕおよびカメラ下蛍光灯９７Ｄは、カメラ９１とともに上下方向に駆動する。
【００７１】
すなわち、図６Ａに示されるように、カメラ９１がカバー９４の開口部の下端に位置し、下カメラの状態となるとき、カメラ９１の上側のアクリル板９５が露出し、カメラ上蛍光灯９７Ｕが発光することで、カメラストロボ９２は、被写体としての利用者の顔付近をカメラ９１の上方から照射する。
【００７２】
また、図示はしないが、カメラ９１がカバー９４の開口部の上端に位置し、上カメラの状態となるとき、カメラ９１の下側のアクリル板９５が露出し、カメラ下蛍光灯９７Ｄが発光することで、カメラストロボ９２は、被写体としての利用者の顔付近をカメラ９１の下方から照射する。
【００７３】
［カメラの構成例］
図７は、カメラ９１の詳細な構成例を示している。
【００７４】
カメラ９１は、撮像装置であるカメラ本体９１Ｍがケース９１Ｃに搭載されて構成される。カメラ９１には、所定の駆動機構により、カメラ本体９１Ｍのレンズの光軸に平行な軸を中心に回転する回転部９１Ｒが設けられている。また、カメラ本体９１Ｍの焦点距離を調整するズームリング９１Ｆの円周面に設けられたギアと、回転部９１Ｒの一端に設けられたギア（図示せず）とは、内側にリブが設けられたタイミングベルト９１Ｂにより連結されている。
【００７５】
すなわち、回転部９１Ｒが回転することにより、タイミングベルト９１Ｂを介してズームリング９１Ｆが回転し、カメラ本体９１Ｍの焦点距離が調整されるようになされている。これにより、例えば、カメラ９１が下カメラの状態において、ズームインするように焦点距離を調整し、カメラ９１が上カメラの状態において、ズームアウトするように焦点距離を調整することができる。
【００７６】
また、ケース９１Ｃの側面には、突起物P1，P2が設けられている。カメラ９１は、突起物P1，P2がそれぞれ、図８に示されるようなカメラ支持部９６に設けられたガイド溝g1，g2に沿ってガイドされることで上下方向に駆動する。ガイド溝g1，g2は、カメラ支持部９６を貫通するように形成されてもよいし、貫通しないように形成されてもよい。また、図８に示されるように、ガイド溝g2は、ガイド溝g1の上端に対応する位置より上では、ガイド溝g1の上端を中心に孤を描くように形成されている。これにより、突起物P1，P2がそれぞれ、ガイド溝g1の上端、および、ガイド溝g2のガイド溝g1の上端に対応する位置に達した後、カメラ９１は、ガイド溝g1の上端を中心に、図中左方向に所定角度だけ回転し、撮影空間の下方向を撮影するようになる。
【００７７】
このような構造により、カメラ９１が下カメラの状態のときには、利用者は前方正面から撮影され、カメラ９１が上カメラの状態のときには、利用者は前方斜め上から撮影されるようになる。
【００７８】
［背景部の構成］
図９は、背景部２２の撮影空間Ａ１側の構成例を示す図である。図９Ａは、背景部２２の構成例を示す正面図であり、図９Ｂは、背景部２２の構成例を示す斜視図である。
【００７９】
背面パネル５１の上方のほぼ中央には、撮影空間Ａ１内で撮影作業を行っている利用者を後方中央から照射する背面中央ストロボ１０１が取り付けられる。
【００８０】
背面パネル５１の上方であって、出入り口Ｇ１側の位置には、撮影空間Ａ１内で撮影作業を行っている利用者を左後方から照射する背面左ストロボ１０２が取り付けられる。また、背面パネル５１の上方であって、出入り口Ｇ２側の位置には、撮影空間Ａ１内で撮影作業を行っている利用者を右後方から照射する背面右ストロボ１０３が取り付けられる。
【００８１】
また、背面パネル５１の下側で、撮影空間Ａ１において側面パネル５２Ａおよび側面パネル５２Ｂに挟まれる部分には、床１０４が設けられている。床１０４は、図１０に示されるように、背面パネル５１側に近いほど高くなるように、写真シール作成装置１が設置される設置面に対して、例えば７°等の傾斜が設けられている。
【００８２】
なお、撮影空間にいる利用者の正面−背面方向を奥行き方向とすると、床１０４の寸法（奥行き、幅、および背面パネル５１側の高さ）は、例えば、550mm×1710mm×80mmとされる。
【００８３】
［床の傾斜により得られる効果］
ここで、図１１を参照して、床１０４に傾斜を設けることによって得られる効果について説明する。
【００８４】
図１１には、撮影空間Ａ１において、上カメラの状態のカメラ９１によって撮影される被写体（利用者）１１１が示されている。被写体の全身を撮影しようとする場合、上カメラによる撮影によれば、下カメラによる撮影と比較して、顔が大きく写るので、顔が強調された撮影画像を得ることができる。また、下カメラにより得られる全身画像より、上カメラにより得られる全身画像の方が、画像における被写体の割合を高めることができる。このように、上カメラによる撮影は、被写体の全身画像を得るのに好適とされている。
【００８５】
例えば、一般的な写真シール作成装置の撮影空間において、図１１Ａに示されるように、被写体１１１がカメラ９１に顔を近づけるように前傾姿勢をとった場合には、顔がより強調された撮影画像を得ることができる。
【００８６】
さらに、本発明の写真シール作成装置１のように傾斜を設けた床１０４を備えることで、図１１Ｂに示されるように、被写体１１１のかかと部分がヒールのある靴を履いているときと同じ状態となり、カメラ９１の撮像面に対する足の甲の長さが、図１１Ａの場合より長くなるので、より足が長く見える撮影画像を得ることができる。
【００８７】
特に、ヒールのある靴を履いた場合の地面と足の裏のなす角度が７°のときに最も足が長く見えるものとすると、床１０４の傾斜を７°とすることで、例えば学校指定のヒールの低い靴を履いている女子中高生であっても、ヒールのある靴を履いたときと同様に、より足が長く見える撮影画像を得ることができる。
【００８８】
また、図１１Ａに示されるように、被写体１１１が前傾姿勢をとってカメラ９１を見た場合、顎の下から首にかけての部分１１１ｎがストロボによって照射されてしまうので、撮影画像においては、顔の輪郭がわかりにくく、必要以上に顔が大きく見えてしまう恐れがある。
【００８９】
一方、図１１Ｂのように床１０４を備えることで、被写体１１１は、図１１Ａのように前傾姿勢にならず、顎を出さない姿勢で撮影することができるので、顎の下から首にかけての部分１１１ｎに影ができ、撮影画像においては、顔の輪郭が強調されて、必要以上に顔が大きく見えることを避けることができる。
【００９０】
さらに、図１１Ａにおいて、被写体１１１が前傾姿勢をとらずにカメラ９１を見た場合、撮影画像においては、上目遣いをした顔となってしまう。一方、図１１Ｂのように床１０４を備えることで、被写体１１１の視線が高くなるので、被写体１１１は、カメラ９１を自然に見ることができ、撮影画像においては、上目遣いをした顔となることを避けることができる。
【００９１】
［クロマキー用シートについて］
また、本実施の形態においては、背景部２２の撮影空間Ａ１側に、背景に利用する巻き取り式の背景カーテンや、クロマキー用のカーテンとして使用する昇降式カーテンを設けず、背景部２２を構成する背面パネル５１、側面パネル５２Ａ，５２Ｂ、および床１０４の表面にクロマキー用のシートが貼付される。
【００９２】
図１２は、背景部２２の撮影空間Ａ１側に貼付されるクロマキー用シートについて説明する図である。
【００９３】
図１２に示されるように、背面パネル５１にはクロマキー用シート１２１Ａが貼付され、側面パネル５２Ｂの下部にはクロマキー用シート１２１Ｂが貼付され、床１０４の斜面部分にはクロマキー用シート１２１Ｃが貼付される。クロマキー用シート１２１Ａ乃至１２１Ｃは、緑色のクロマキー用シートであり、これにより、いわゆるグリーンバック合成が行われる。なお、図示はしないが、側面パネル５２Ａの下部にもクロマキー用シート１２１Ｂと同様のクロマキー用シート１２１Ｃ’が貼付される。なお、図１２に示されるように、クロマキー用シート１２１Ｂは、側面パネル５２Ｂの下部のみに貼付されるものとしたが、側面パネル５２Ｂにおいてクロマキー用シート１２１Ｂが貼付される部分は、カメラ９１の画角に入る部分より広ければよく、例えば側面パネル５２Ｂの全面であってもよい。また、側面パネル５２Ａに貼付されるクロマキー用シート１２１Ｃ’についても同様である。
【００９４】
クロマキー用シート１２１Ａ，１２１Ｂ，１２１Ｃはそれぞれ、同一の材質で構成されるようにしてもよいし、異なる材質で構成されるようにしてもよい。具体的には、例えば、撮影空間Ａ１の背面となるクロマキー用シート１２１Ａを布製とし、側面となるクロマキー用シート１２１Ｂを樹脂製または布製とし、クロマキー用シート１２１Ｃをゴム等の樹脂製としてもよい。
【００９５】
［編集部の構成］
図１３は、編集部１２の正面側（編集空間Ａ２−１側）の構成例を示す図である。
【００９６】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００９７】
タブレット内蔵モニタ１３１は、タッチペン１３２Ａまたは１３２Ｂを用いて操作入力が可能なタブレットがLCDなどの編集用モニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００９８】
編集部１２の左側には事後接客部１３が設けられる。
【００９９】
［事後接客部の構成］
図１４は、事後接客部１３の正面側の構成例を示す図である。
【０１００】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどの事後接客用モニタに重畳して設けられることによって構成される。タブレット内蔵モニタ１６１には、撮影画像や編集済みの画像を携帯電話機などの携帯端末に送信する事後接客処理に用いられる画面が表示される。
【０１０１】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【０１０２】
非接触型ICリーダ／ライタ１６３は、近接された非接触型ICと通信を行い、非接触型ICからのデータの読み出しや非接触型ICに対するデータの書き込みを行う。
【０１０３】
シール紙排出口１６４には、編集空間Ａ２−１の利用者が編集作業を行うことによって作成した画像が印刷されたシール紙、または、編集空間Ａ２−２の利用者が編集作業を行うことによって作成した画像が印刷されたシール紙が排出される。編集部１２の内部にはプリンタが設けられており、画像の印刷がそのプリンタにより行われる。
【０１０４】
スピーカ１６５は、事後接客処理の案内音声、BGM、効果音等の音を出力する。
【０１０５】
［写真シール作成装置の内部構成］
次に、写真シール作成装置１の内部構成について説明する。図１５は、写真シール作成装置１の内部の構成例を示すブロック図である。上述した構成と同じ構成には同じ符号を付してある。なお、重複する説明については適宜省略する。
【０１０６】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【０１０７】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【０１０８】
通信部２０３はインターネットなどのネットワークのインタフェースであり、制御部２０１による制御に従って外部の装置と通信を行う。
【０１０９】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【０１１０】
ROM２０６には、制御部２０１において実行されるプログラムやデータが記憶されている。RAM２０７は、制御部２０１が処理するデータやプログラムを一時的に記憶する。
【０１１１】
撮影部２０８は、撮影空間Ａ１における撮影処理を行う構成である硬貨処理部２２１、照明装置２２２、カメラ９１、タッチパネルモニタ９３、およびスピーカ２２３から構成される。
【０１１２】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【０１１３】
照明装置２２２は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６、モニタ左ストロボ８８、モニタ右ストロボ８９と、背景部２２に設けられる背面中央ストロボ１０１、背面左ストロボ１０２，背面右ストロボ１０３が設けられている。
【０１１４】
また、照明装置２２２は、制御部２０１による制御に従って発光量を調整することによって、利用者が行っている撮影作業の段階に応じて撮影空間Ａ１内の明るさを調整する。
【０１１５】
カメラ９１は、制御部２０１による制御に従って撮影を行い、撮影によって得られた画像を制御部２０１に出力する。
【０１１６】
スピーカ２２３は、利用者に撮影作業を行わせる撮影処理の案内音声、BGM、効果音等の音を出力する。
【０１１７】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【０１１８】
タブレット内蔵モニタ１３１は、制御部２０１による制御に従って、内蔵する編集用モニタに編集画面を表示し、編集画面（内蔵するタブレット）に対する利用者の操作を検出する。利用者の操作の内容を表す信号は制御部２０１に供給され、編集対象の撮影画像の編集が行われる。
【０１１９】
スピーカ２３１は、利用者に編集作業を行わせる編集処理の案内音声、BGM、効果音等の音を出力する。
【０１２０】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、スピーカ１６５、印刷処理を行う構成であるプリンタ２４１、およびシール紙ユニット２４２から構成される。
【０１２１】
タブレット内蔵モニタ１６１は、制御部２０１による制御に従って、内蔵する事後接客用モニタに事後接客に用いられる画面を表示し、その画面（内蔵するタブレット）に対する利用者の操作を検出する。利用者の操作の内容を表す信号は制御部２０１に供給され、事後接客が行われる。
【０１２２】
プリンタ２４１は、撮影画像、または編集処理によって得られた編集済みの画像を、プリンタ２４１に装着されたシール紙ユニット２４２に収納されているシール紙に印刷し、シール紙排出口１６４に排出する。
【０１２３】
［制御部の構成］
次に、制御部２０１について説明する。図１６は、制御部２０１がROM２０６などに格納されているプログラムを実行することにより実現される機能ブロックの構成例を示している。
【０１２４】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【０１２５】
すなわち、制御部２０１は、写真シール作成ゲームの各工程に関する処理の制御を行う。
【０１２６】
［撮影処理部の構成］
図１７は、図１６の撮影処理部３０１のさらに詳細な構成例を示す機能ブロック図である。
【０１２７】
図１７の例において、撮影処理部３０１は、進行制御部３１１、撮影パラメータ設定部３１２、ライブビュー表示制御部３１３、撮影画像取得部３１４、照明制御部３１５、カメラ駆動制御部３１６、クロマキー処理部３１７、コーナーポイント検知部３１８、コーナー画像生成部３１９、および合成処理部３２０から構成される。
【０１２８】
進行制御部３１１は、撮影作業の工程の進行を制御する。
【０１２９】
撮影パラメータ設定部３１２は、写りや明るさ、目のサイズ等の撮影に関するパラメータの設定に関する処理を行う。
【０１３０】
ライブビュー表示制御部３１３は、タッチパネルモニタ９３の表示（ライブビュー表示）に関する処理を行う。
【０１３１】
撮影画像取得部３１４は、撮影、特に、撮影画像の取得に関する処理を行う。
【０１３２】
照明制御部３１５は、撮影空間内に設けられる照明装置の発光に関する処理を行う。
【０１３３】
カメラ駆動制御部３１６は、カメラ９１の駆動に関する処理を行う。
【０１３４】
クロマキー処理部３１７は、カメラ９１により取り込まれた取り込み画像の背景領域の色に基づいて、背景領域を抜き出すクロマキー処理を行う。
【０１３５】
コーナーポイント検知部３１８は、カメラ９１により取り込まれた取り込み画像の背景領域としての、撮影空間の背面、側面、および床面の３面が交わる交点であるコーナーポイントを検知する。
【０１３６】
コーナー画像生成部３１９は、撮影空間の背面、側面、および床面のうちの２面が交わる交線を模した線分であるコーナーラインを含む背景画像（以下、コーナー画像という）を生成する。
【０１３７】
合成処理部３２０は、クロマキー処理部３１７により背景領域が抜き出された取り込み画像に、コーナー画像生成部３１９により生成されたコーナー画像を合成する。
【０１３８】
［写真シール作成装置の動作］
次に、図１８のフローチャートを参照して、写真シール作成ゲームを提供する写真シール作成装置１の処理について説明する。
【０１３９】
ステップＳ１において、写真シール作成装置１の制御部２０１の撮影処理部３０１は、所定の金額分の硬貨が投入されたか否かを硬貨処理部２２１から供給される信号に基づいて判定し、投入されたと判定するまで待機する。
【０１４０】
硬貨が投入されたとステップＳ１において判定した場合、ステップＳ２において、撮影処理部３０１は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。なお、撮影処理については、図１９、図２０のフローチャートを参照して後述する。
【０１４１】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２３から出力させることによって行われる。
【０１４２】
ステップＳ４において、編集処理部３０２は、編集空間Ａ２−１と編集空間Ａ２−２のうち、撮影処理を終えた利用者の移動先とした方の編集空間に対応する編集部２０９を制御し、編集処理を行う。具体的には、編集処理部３０２は、編集対象画像として選択された撮影画像に合成する合成用画像を利用者に選択させ、選択された合成用画像を撮影画像に合成させ、得られた合成画像に対して、利用者による編集操作に従って編集を行う。
【０１４３】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１４４】
ステップＳ６において、印刷処理部３０３は、利用者により選択された画像をプリンタ２４１に出力してシール紙に印刷させる印刷処理を行う。
【０１４５】
ステップＳ７において、事後接客処理部３０４は、事後接客部２１０を制御し、印刷終了待機中の利用者に対する事後接客処理を行う。具体的には、事後接客処理部３０４は、撮影画像や編集済みの画像を携帯端末に送信する携帯送信ゲーム処理を事後接客処理として行い、携帯端末の電子メールアドレスを直接入力することで画像を携帯端末に送信するか、非接触型ICと通信することで画像を携帯端末に送信するかを利用者に選択させる送信方法の選択画面や、送信する画像の選択画面をタブレット内蔵モニタ１６１に表示させ、利用者による操作に応じて画像を送信する。
【０１４６】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６４に排出し、処理を終了させる。
【０１４７】
［撮影処理の例］
次に、図１９、図２０のフローチャートを参照して、上述した写真シール作成ゲームの一連の処理におけるステップＳ２の撮影処理の流れの例を説明する。
【０１４８】
ステップＳ３１において、撮影パラメータ設定部３１２は、写り選択画面をタッチパネルモニタ９３に表示させ、利用者による写り選択を受け付ける。写り選択は、色合いやシャープネス等の、画像の画質の選択である。撮影パラメータ設定部３１２は、利用者により選択された写りに応じて、カメラ９１により撮影された画像の画質を調整する。
【０１４９】
ステップＳ３２において、進行制御部３１１は、撮影方法のガイダンス画面をタッチパネルモニタ９３に表示させる。具体的には、利用者の顔または上半身を前方正面から撮影する下カメラアップ撮影を行う旨のガイダンス画面を表示する。すなわち、このとき、カメラ９１は、下カメラの状態とされる。ガイダンス画面を表示した後、撮影画像取得部３１４は、カメラ９１を制御し、画像の取り込みを開始させる。
【０１５０】
ステップＳ３３において、ライブビュー表示制御部３１３は、カメラ９１により取り込まれた動画像（ライブビュー画像）をタッチパネルモニタ９３に表示させる（ライブビュー表示を行う）。
【０１５１】
ステップＳ３４において、撮影画像取得部３１４は、タッチパネルモニタ９３にカウントダウンインジケータを表示し、撮影タイミングを利用者に通知する。
【０１５２】
撮影タイミングになったとき、ステップＳ３５において、撮影画像取得部３１４は、カメラ９１を制御して下カメラアップ撮影を行い、静止画像である撮影画像（下カメラアップ画像）を取得する。
【０１５３】
ステップＳ３６において、進行制御部３１１は、撮影画像をタッチパネルモニタ９３に表示し、撮影結果を利用者に確認させる。
【０１５４】
図２１は、下カメラアップ撮影時にタッチパネルモニタ９３に表示されるライブビュー表示画面の例を示している。図２１のライブビュー表示画面は、カメラ９１のライブビュー画像を表示するライブビュー表示領域４１１、および、撮影の結果得られる撮影画像が表示される撮影結果表示領域４１２−１乃至４１２−６から構成されている。
【０１５５】
図２１のライブビュー表示画面において、図示せぬカウントダウンインジケータで示される数字が０になったときに、ライブビュー表示領域４１１に表示されているライブビュー画像が下カメラアップ画像として得られる。得られた下カメラアップ画像は、撮影した順に、撮影結果表示領域４１２−１乃至４１２−６のうちの所定の領域（具体的には、撮影結果表示領域４１２−１乃至４１２−３）に表示されるようになる。
【０１５６】
図１９のフローチャートに戻り、ステップＳ３６の後、ステップＳ３７において、進行制御部３１１は、撮影を所定回数繰り返し行ったか否かを判定する。ステップＳ３７において撮影を所定回数行っていないと判定された場合、処理はステップＳ３３に戻り、上述の処理を繰り返し行う。具体的には、３回の下カメラアップ撮影が行われるまで、上述の処理が繰り返される。
【０１５７】
一方、ステップＳ３７において、下カメラアップ撮影を３回繰り返し行ったと判定された場合、処理はステップＳ３８に進み、カメラ駆動制御部３１６は、カメラ９１を上方向に移動させるように、カメラ９１の駆動を制御する。これにより、カメラ９１は、上カメラの状態とされる。
【０１５８】
ステップＳ３９において、進行制御部３１１は、撮影方法のガイダンス画面をタッチパネルモニタ９３に表示させる。具体的には、利用者の顔または上半身を前方斜め上から撮影する上カメラアップ撮影を行う旨のガイダンス画面を表示する。ガイダンス画面を表示した後、撮影画像取得部３１４は、カメラ９１を制御し、画像の取り込みを開始させる。
【０１５９】
なお、上述したように、カメラ９１は、上カメラの状態では、ズームアウトするようにフォーカスが調整されるが、ここでは、デジタルズーム機能により、取り込み画像の倍率を電気的に変更することで、上カメラアップ撮影を行う。また、カメラ９１のフォーカスは、図７を参照して説明した機構により調整される以外に、撮影方法に応じてカメラ駆動制御部３１６により調整されるようにしてもよい。
【０１６０】
ステップＳ４０において、ライブビュー表示制御部３１３は、カメラ９１により取り込まれた動画像（ライブビュー画像）をタッチパネルモニタ９３に表示させる（ライブビュー表示を行う）。
【０１６１】
ステップＳ４１において、撮影画像取得部３１４は、タッチパネルモニタ９３にカウントダウンインジケータを表示し、撮影タイミングを利用者に通知する。
【０１６２】
撮影タイミングになったとき、ステップＳ４２において、撮影画像取得部３１４は、カメラ９１を制御して上カメラアップ撮影を行い、静止画像である撮影画像（上カメラアップ画像）を取得する。
【０１６３】
ステップＳ４３において、進行制御部３１１は、撮影画像をタッチパネルモニタ９３に表示し、撮影結果を利用者に確認させる。
【０１６４】
図２２は、上カメラアップ撮影時にタッチパネルモニタ９３に表示されるライブビュー表示画面の例を示している。図２２のライブビュー表示画面において、図示せぬカウントダウンインジケータで示される数字が０になったときに、ライブビュー表示領域４１１に表示されているライブビュー画像が上カメラアップ画像として得られる。なお、上カメラアップ撮影は１回のみ行われる。撮影結果表示領域４１２−１乃至４１２−３には、下カメラアップ画像が表示されているので、得られた上カメラアップ画像は、撮影結果表示領域４１２−４に表示されるようになる。
【０１６５】
図１９のフローチャートに戻り、ステップＳ４３の後、図２０のステップＳ４４において、進行制御部３１１は、撮影方法のガイダンス画面をタッチパネルモニタ９３に表示させる。具体的には、利用者の全身を前方斜め上から撮影する上カメラ全身撮影を行う旨のガイダンス画面を表示する。ガイダンス画面を表示した後、撮影画像取得部３１４は、カメラ９１を制御し、画像の取り込みを開始させる。
【０１６６】
図２３は、タッチパネルモニタ９３に表示される上カメラ全身撮影のガイダンス画面の例を示している。図２３のガイダンス画面には、全身撮影を行う旨の文言と、利用者をタッチパネルモニタ９３に表示される足型の印である足マークに合わせて立たせるよう促す文言が表示される。すなわち、タッチパネルモニタ９３（図２４）には、ライブビュー画像とともに、上カメラ全身撮影を行うのに最適な立ち位置を示す足マークが表示され、利用者がその足マークに合わせて立つことで、好適な上カメラ全身画像が得られるようになされている。
【０１６７】
そして、ステップＳ４５において、カメラ９１により取り込まれた動画像（ライブビュー画像）を表示させ、所定の撮影タイミングで上カメラ全身撮影を行う上カメラ全身撮影処理が実行される。なお、上カメラ全身撮影処理については、図２５のフローチャートを参照して後述する。
【０１６８】
図２４は、上カメラ全身撮影時にタッチパネルモニタ９３に表示されるライブビュー表示画面の例を示している。図２４のライブビュー表示画面において、図示せぬカウントダウンインジケータで示される数字が０になったときに、ライブビュー表示領域４１１に表示されているライブビュー画像が上カメラ全身画像として得られる。撮影結果表示領域４１２−１乃至４１２−３には、下カメラアップ画像が表示され、撮影結果表示領域４１２−４には、上カメラアップ画像が表示されているので、得られた上カメラ全身画像は、撮影結果表示領域４１２−５，４１２−６に表示されるようになる。
【０１６９】
なお、図２４に示されるタッチパネルモニタ９３においては、ライブビュー表示領域４１１の領域外（ライブビュー表示領域４１１の下）に足マークが表示されているが、ライブビュー表示領域４１１に表示されるライブビュー画像内に足マークを表示するようにしてもよい。また、足マークを、タッチパネルモニタ９３に表示するのではなく、床１０４（クロマキー用シート１２１Ｃ）の表面に予め記すようにし、利用者にその足マークの上に立たせるようにしてもよい。
【０１７０】
図２０のフローチャートに戻り、ステップＳ４５の後、ステップＳ４６において、進行制御部３１１は、撮影を所定回数繰り返し行ったか否かを判定する。ステップＳ４６において撮影を所定回数行っていないと判定された場合、処理はステップＳ４５の処理を繰り返し行う。具体的には、２回の上カメラ全身撮影が行われるまで、上述の処理が繰り返される。
【０１７１】
一方、ステップＳ４６において、上カメラ全身撮影を２回繰り返し行ったと判定された場合、ステップＳ４７において、進行制御部３１１は、撮影可能時間内か否かを判定し、経過時間または残り時間に基づいて、また撮影可能か否かを判定する。ステップＳ４７において、撮影可能であると判定された場合、追加的な撮影、いわゆる「ボーナス撮影」の処理が行われる。
【０１７２】
ステップＳ４８において、進行制御部３１１は、ボーナス撮影のガイダンス画面をタッチパネルモニタ９３に表示させる。ガイダンス画面を表示した後、撮影画像取得部３１４は、カメラ９１を制御し、画像の取り込みを開始させる。
【０１７３】
ステップＳ４９において、ライブビュー表示制御部３１３は、カメラ９１により取り込まれた動画像（ライブビュー画像）をタッチパネルモニタ９３に表示させる（ライブビュー表示を行う）。
【０１７４】
ステップＳ５０において、撮影画像取得部３１４は、タッチパネルモニタ９３にカウントダウンインジケータを表示し、撮影タイミングを利用者に通知する。
【０１７５】
撮影タイミングになったとき、ステップＳ５１において、撮影画像取得部３１４は、カメラ９１を制御してボーナス撮影を行い、静止画像である撮影画像（ボーナス撮影画像）を取得する。
【０１７６】
なお、ボーナス撮影処理においては、カメラ９１は上カメラの状態とされるので、上カメラアップ撮影または上カメラ全身撮影のいずれかが行われるものとする。また、ボーナス撮影を行わずに、２回の上カメラ全身撮影により得られる２枚の上カメラ全身画像のうちの１枚をボーナス撮影画像として扱うようにしてもよい。
【０１７７】
すなわち、３回の下カメラアップ撮影、１回の上カメラアップ撮影、１回の上カメラ全身撮影に加えて、確率の高いボーナス撮影として上カメラ全身撮影が行われるようにしてもよい。さらに、編集処理においては、得られた撮影画像（ボーナス撮影画像を含む）から編集対象画像が選択されるようになるが、この場合、得られた撮影画像の全て（例えば６枚）が編集対象画像とされるようにしてもよい。
【０１７８】
ステップＳ５２において、進行制御部３１１は、撮影画像をタッチパネルモニタ９３に表示し、撮影結果を利用者に確認させる。その後、処理は図２０のステップＳ５３に進む。
【０１７９】
一方、ステップＳ４７において、撮影可能でないと判定された場合、ステップＳ４７乃至Ｓ５２はスキップされ、処理は図２０のステップＳ５３に進められる。
【０１８０】
図２０のステップＳ５３において、撮影パラメータ設定部３１２は、撮影画像に写る利用者の目のサイズと明るさの選択に用いられる目サイズ、明るさ選択画面を、タッチパネルモニタ９３に表示させ、目、明るさ決定処理を実行する。このステップＳ５３において実行される目、明るさ決定処理については、図３０のフローチャートを参照して後述する。
【０１８１】
ステップＳ５３の処理が終了すると、撮影処理は終了され、処理は図１８のステップＳ２に戻る。なお、目サイズ選択処理および明るさ選択処理は、撮影処理においてではなく、編集空間において行われる編集処理において実行されるようにしてもよい。
【０１８２】
［上カメラ全身撮影処理］
次に、図２５のフローチャートを参照して、図２０のステップＳ４５の上カメラ全身撮影処理の詳細について説明する。
【０１８３】
ステップＳ１１１において、クロマキー処理部３１７は、カメラ９１により取り込まれた動画像（ライブビュー画像）の背景領域を抜き出す。
【０１８４】
図２６は、カメラ９１により取り込まれたライブビュー画像の例を示している。図２６のライブビュー画像４３１においては、２人の被写体とともに、撮影空間Ａ１を構成する背景部２２の背面パネル５１、側面パネル５２Ｂ、および床１０４の表面に貼付されているクロマキー用シート１２１Ａ，１２１Ｂ，１２１Ｃが表示されている。
【０１８５】
ここで、クロマキー用シート１２１Ａ，１２１Ｂ，１２１Ｃがそれぞれ異なる材質で構成されているものとすると、ライブビュー画像４３１におけるクロマキー用シート１２１Ａ，１２１Ｂ，１２１Ｃの色（見え方）もそれぞれ異なる。
【０１８６】
そこで、クロマキー処理部３１７は、ライブビュー画像４３１の背景領域としての撮影空間Ａ１の背面、側面、および床面（すなわち、クロマキー用シート１２１Ａ，１２１Ｂ，１２１Ｃ）の３面それぞれの色を示す値の範囲（色範囲）を検出することで、背面、側面、および床面それぞれについてのクロマキーパラメータを設定する。
【０１８７】
具体的には、図２７に示されるライブビュー画像４３１（被写体は省略）において、クロマキー用シート１２１Ａで最も明るい領域RmaxAの色値と、最も暗い領域RminAの色値とに基づいて色範囲が検出されることで、クロマキー用シート１２１Ａのクロマキーパラメータが設定される。同様に、クロマキー用シート１２１Ｂで最も明るい領域RmaxBの色値と、最も暗い領域RminBの色値とに基づいて色範囲が検出されることで、クロマキー用シート１２１Ｂのクロマキーパラメータが設定され、クロマキー用シート１２１Ｃで最も明るい領域RmaxCの色値と、最も暗い領域RminCの色値とに基づいて色範囲が検出されることで、クロマキー用シート１２１Ｃのクロマキーパラメータが設定される。
【０１８８】
そして、クロマキー処理部３１７は、３面それぞれについてのクロマキーパラメータを用いて、ライブビュー画像４３１から背景領域（背面、側面、および床面）を抜き出す。
【０１８９】
ステップＳ１１２において、コーナーポイント検知部３１８は、カメラ９１により取り込まれたライブビュー画像の背景領域の色を示す値（色値）の境界に基づいて、コーナーポイントを検知する。
【０１９０】
上述したように、図２６において、ライブビュー画像４３１におけるクロマキー用シート１２１Ａ，１２１Ｂ，１２１Ｃの色はそれぞれ異なるので、コーナーポイント検知部３１８は、クロマキー用シート１２１Ａ，１２１Ｂ，１２１Ｃの３面それぞれの色範囲を検出し、それぞれの色値の境界を求めることで、撮影空間Ａ１の背面、側面、および床面の３面が交わるコーナーポイントCPを検知する。
【０１９１】
ステップＳ１１３において、進行制御部３１１は、コーナーポイント検知部３１８がコーナーポイントを検知したか否かを判定する。ステップＳ１１３において、コーナーポイントを検知していないと判定された場合、処理はステップＳ１１２に戻り、コーナーポイントが検知されるまで処理が繰り返される。なお、コーナーポイントを検知していないと判定された場合、タッチパネルモニタ９３に、エラーメッセージを表示させるようにしてもよい。また、このとき、色値の境界を求めるのに用いられる色範囲が変更（再検出）されるようにしてもよい。
【０１９２】
一方、ステップＳ１１３において、コーナーポイントが検知されたと判定された場合、処理はステップＳ１１４に進み、コーナー画像生成部３１９は、図２８に示されるような、撮影空間の背面、側面、および床面のうちの２面が交わる交線に似せたコーナーライン４５２Ａ，４５２Ｂ，４５２Ｃが描かれているコーナー画像４５１を生成する。コーナー画像４５１において、撮影空間の背面、側面、および床面に対応する各面の色は、例えばグレーに近い白色とされる。コーナー画像４５１は、部屋の一角を模した背景画像とされる。
【０１９３】
ステップＳ１１５において、ライブビュー表示制御部３１３は、カメラ９１により取り込まれたライブビュー画像をタッチパネルモニタ９３に表示させる（ライブビュー表示を行う）。ここでは、図２６に示されるような、２人の被写体とともに、クロマキー用シート１２１Ａ，１２１Ｂ，１２１Ｃが表示されるライブビュー画像が表示される。
【０１９４】
ステップＳ１１６において、撮影画像取得部３１４は、タッチパネルモニタ９３にカウントダウンインジケータを表示し、撮影タイミングを利用者に通知する。
【０１９５】
ここで、ステップＳ１１１乃至Ｓ１１４の処理と、ステップＳ１１５，Ｓ１１６の処理とは、並列に実行されてもよい。
【０１９６】
撮影タイミングになったとき、ステップＳ１１７において、撮影画像取得部３１４は、カメラ９１を制御して撮影を行い、そのタイミングで取り込まれ、背景領域が抜き出された静止画像である撮影画像（上カメラ全身画像）を取得する。
【０１９７】
ステップＳ１１８において、合成処理部３２０は、上カメラ全身画像においてコーナーポイント検知部３１８により検知されたコーナーポイントCPと、コーナー画像生成部３１９により生成されたコーナー画像４５１のコーナーライン４５２Ａ乃至４５２Ｃの交点とが一致するように、背景領域が抜き出された上カメラ全身画像にコーナー画像４５１を合成する。
【０１９８】
ステップＳ１１９において、進行制御部３１１は、撮影画像をタッチパネルモニタ９３に表示し、撮影結果を利用者に確認させる。
【０１９９】
以上の処理によれば、図２９に示される、被写体の頭からつま先までが写った上カメラ全身画像４７１を得ることができる。図２９の上カメラ全身画像４７１は、被写体の前方斜め上から撮影された、顔を強調した全身画像であり、背面、側面、および床の境界がはっきりと示されるようになるので、ブログにアップロードされるコーデ画像として好適な画像となる。このようにして、利用者にとってより満足度の高いコーデ画像を提供することが可能となる。
【０２００】
さらに、撮影空間Ａ１において、床１０４には傾斜が設けられているので、より足が長く見えるコーデ画像を得ることができる。さらに、そのコーデ画像においては、床１０４の傾斜により、必要以上に顔が大きく見えることを避けることができるとともに、上目遣いをした顔となることを避けることができるので、より見栄えのよいコーデ画像が得られることとなる。
【０２０１】
なお、ステップＳ１１５において、ライブビュー画像として、背景領域（背面、側面、および床面）が抜き出されたライブビュー画像にコーナー画像を合成したものを表示するようにしてもよい。これにより、利用者は、実際に得られる上カメラ全身画像をイメージしながら撮影作業を行うことができる。
【０２０２】
また、背景領域が抜き出されたライブビュー画像にコーナー画像を合成する際、コーナーポイント検知部３１８により検知されたコーナーポイントではなく、予め設定されたコーナーポイントと、コーナー画像の線分の交点とが一致するように合成するようにしてもよい。これにより、背面、側面、および床面の３面がクロマキー処理により抜き出された撮影画像に対して、コーナー画像を容易に適正な位置に合成することができ、ブログにアップロードされるコーデ画像として好適な画像を得ることができる。
【０２０３】
さらに、コーナー画像において、コーナーラインは、実際の撮影空間の背面、側面、および床面のうちの２面が交わる交線に対応した位置や角度に対応して描かれる必要はなく、また、撮影空間の背面、側面、および床面に対応する各面の色は、上述した色（グレーに近い白色）に限られず、さらに、部屋の一角を模した装飾を施すようにしてもよい。
【０２０４】
また、複数の種類のコーナー画像を予め用意しておき、利用者に選択させるようにしてもよい。これにより、より利用者の嗜好に合ったコーデ画像を提供することができるようになる。
【０２０５】
［目のサイズや明るさの変更に関する変更処理について］
図３０のフローチャートを参照し、図２０のステップＳ５３において実行される目のサイズや明るさの変更に関する変更処理について説明する。まずステップＳ１５１において、撮影パラメータ設定部３１２は、撮影画像に写る利用者の目のサイズと明るさの選択に用いられる目サイズ、明るさ選択画面を、タッチパネルモニタ９３に表示させる。
【０２０６】
図３１は、利用者自身が写されている撮影画像を使用して、被写体の目のサイズと明るさを一画面で選択することができる目サイズ、明るさ選択画面の例を示す図である。
【０２０７】
図３１に示した目サイズ、明るさ選択画面には、撮影の結果得られた撮影画像５０１が表示される。例えば、撮影を６回行ったときには、６枚の撮影画像が得られており、目サイズ、明るさ選択画面では、６枚の撮影画像５０１−１乃至５０１−６が、画面の上側に表示される。撮影画像５０１−１乃至５０１−６は、撮影されたままの画像であるが、目のサイズなどの変更が指示された後は、その指示に基づく変更が施された画像とされる。
【０２０８】
目サイズ、明るさ選択画面の下側には、３つの目サイズ選択ボタン５０２−１乃至５０２−３が図中右側から順に表示される。目サイズ選択ボタン５０２−１には、目のサイズが自然な大きさのモデルの目の画像が表示され、目サイズ選択ボタン５０２−２には、目のサイズが若干大きな（例えば、自然な大きさよりも１割程度大きな）モデルの目の画像が表示されている。
【０２０９】
目サイズ選択ボタン５０２−３には、目のサイズが比較的大きな（例えば、自然な大きさよりも２割程度大きな）モデルの目の画像が表示されている。これらの目サイズを変更するための目サイズ選択ボタン５０２−１乃至５０２−３の下側には明るさを選択するための明るさ選択ボタン５０３−１乃至５０３−３が表示されている。
【０２１０】
図３１においては、５つの明るさ選択ボタン５０３−１乃至５０３−５が図中右側から順に表示される。明るさ選択ボタン５０３−１乃至５０３−５には、明るさの異なるモデルがそれぞれ表示されている。
【０２１１】
“ＯＫ”との表記がされた決定ボタン５５４は、目の大きさや明るさの変更を確定するときに操作されるボタンである。
【０２１２】
なおここでは、目の大きさや明るさの変更が行われるとして説明を続けるが、顔の大きさ、髪の毛の色、化粧の濃淡、肌の色なども変更できるようにしても良い。そのような複数の変更が行えるように構成した場合、図３１に示した目サイズ、明るさ選択画面も、複数の変更が行える画面とされ、それぞれの変更に対応するボタンなどが表示される。
【０２１３】
図３０のフローチャートの説明に戻り、ステップＳ１５１において、図３１に示したような撮影画像に写る利用者の目のサイズと明るさの選択に用いられる目サイズ、明るさ選択画面が、タッチパネルモニタ９３に表示されると、ステップＳ１５２に処理が進められる。
【０２１４】
ステップＳ１５２において、利用者が、目サイズ、明るさ選択画面の目サイズ選択ボタン５０２−１乃至５０２−３のいずれかに対する操作（タッチ）を行った否かが判定される。ステップＳ１５２において、目サイズ選択ボタン５０２−１乃至５０２−３のいずれかに対する操作（タッチ）が行われたと判定された場合、ステップＳ１５３に処理が進められる。
【０２１５】
ステップＳ１５３において、撮影パラメータ設定部３１２は、タッチパネルモニタ９３から供給された情報に基づいて、目のサイズを選択する。ステップＳ１５３において、撮影パラメータ設定部３１２は、利用者により選択されたサイズの目が写っている画像になるように、全ての撮影画像５０１−１乃至５０１−６に写る利用者の目のサイズを一括して変更する。
【０２１６】
ステップＳ１５４において、撮影パラメータ設定部３１２は、目のサイズを変更した撮影画像５０１−１乃至５０１−６をタッチパネルモニタ９３に表示し、目のサイズの変更結果を利用者に確認させる。
【０２１７】
このような目のサイズに関する処理が行われるか、またはステップＳ１５２において、目サイズ選択ボタン５０２−１乃至５０２−３のいずれも操作されていないと判定された場合、ステップＳ１５５に処理が進められる。
【０２１８】
ステップＳ１５５において、利用者が、目サイズ、明るさ選択画面の明るさ選択ボタン５０３−１乃至５０３−５のいずれかに対する操作（タッチ）を行ったか否かが判定される。ステップＳ１５５において、明るさ選択ボタン５０３−１乃至５０３−５のいずれかに対する操作（タッチ）が行われたと判定された場合、ステップＳ１５６に処理が進められる。
【０２１９】
ステップＳ１５６において、撮影パラメータ設定部３１２は、タッチパネルモニタ９３から供給された情報に基づいて、明るさを選択する。ステップＳ１５６において、撮影パラメータ設定部３１２は、利用者により選択された明るさの被写体になるように、全ての撮影画像５０１−１乃至５０１−６の被写体の明るさを一括して変更する。
【０２２０】
ステップＳ１５７において、撮影パラメータ設定部３１２は、被写体の明るさを変更した撮影画像５０１−１乃至５０１−６をタッチパネルモニタ９３に表示し、明るさの変更結果を利用者に確認させる。
【０２２１】
このような明るさに関する処理が行われるか、またはステップＳ１５５において、明るさ選択ボタン５０３−１乃至５０３−５のいずれも操作されていないと判定された場合、ステップＳ１５８に処理が進められる。
【０２２２】
ステップＳ１５８において、撮影パラメータ設定部３１２は、決定ボタン５０４が操作されたか否かをタッチパネルモニタ９３から供給された情報に基づいて判定し、操作されていないと判定した場合、ステップＳ１５２に戻り、上述の処理を繰り返す。
【０２２３】
一方、ステップＳ１５８において、決定ボタン５０４が操作されたと判定された場合、ステップＳ１５９において、撮影パラメータ設定部３１２は、被写体の目のサイズと明るさを決定し、決定した目のサイズと明るさを表す情報を記憶部２０２などに記憶させて保存する。
【０２２４】
ステップＳ１５９の処理が終了すると、撮影処理は終了され、処理は図１８のステップＳ２に戻る。なお、目サイズ選択処理および明るさ選択処理は、撮影処理においてではなく、編集空間において行われる編集処理において実行されるようにしてもよい。
【０２２５】
［編集処理について］
次に、図３２のフローチャートを参照して、図１８のステップＳ４において行われる編集処理について説明する。編集処理は、撮影処理が終了し、複数の撮影画像の中から編集対象として選択された画像が保存された後に、編集空間にいる利用者を対象として行われる処理である。
【０２２６】
ステップＳ２０１において、編集処理部３０２は、編集対象として選択された撮影画像を記憶部２０２から読み出し、取得する。編集対象の撮影画像を取得した後、編集処理部３０２は、タブレット内蔵モニタ１３１に、編集画面を表示させる。以下においては、６枚の撮影画像が編集対象として選択された場合について説明するが、画像の数は任意である。
【０２２７】
撮影画像の編集画面は、基本的に、同じ構成の画面が左右に対称に並べて配置されることによって構成される。例えば、タブレット内蔵モニタ１３１に対して左側に立っている利用者は、タッチペン１３２−Ａを用いて編集画面の左半分において撮影画像の編集を行い、右側に立っている利用者は、左側に立っている利用者による編集と並行して、タッチペン１３２−Ｂを用いて編集画面の右半分において撮影画像の編集を行うことになる。
【０２２８】
図３３に、編集処理においてタブレット内蔵モニタ１３１に表示される撮影画像の編集画面の例を示す。ここでは、編集画面のうちの左半分の編集画面を図示し、説明を行う。
【０２２９】
編集画面の左側の上方には画像選択部６１３Ｌが形成され、ここには、撮影処理後に編集対象として選択された４〜６枚の撮影画像がそれぞれ縮小して表示される。画像選択部６１３Ｌから選択された撮影画像が、画像選択部６１３Ｌの下に形成された編集対象画像表示部６１１Ｌに拡大して表示される。
【０２３０】
図３３の例においては、６枚の撮影画像のうち、左端の撮影画像が編集対象としてカーソルＣによって選択されている。また、６枚の撮影画像のうち、右端の撮影画像がカーソルＣ’によって選択されている。画像選択部６１３ＬにおいてカーソルＣ’によって選択されている撮影画像は、６枚の撮影画像のうちの右端の撮影画像が編集画面の右側において編集対象とされており、それと同じ画像を左側において編集対象として選択できないことを表す。
【０２３１】
編集対象画像表示部６１１Ｌの下にはコンテンツパレット６１２Ｌが表示される。コンテンツパレット６１２Ｌには、複数の処理をせずに、編集対象画像に編集を行うことができる機能を利用する際に選択される一発落書きツール、自己が入力した名前のスタンプを利用する際に選択されるおなまえツール、文字などのフォントを選択する際に選択されるフォントツール、手書き画像を入力するときに選択されるペンツール、スタンプ画像を入力するときに選択されるスタンプツールなどの各種の編集ツールのタブが表示されており、タブを選択することによって、編集ツールを切り替えることができるようになされている。
【０２３２】
利用者は、コンテンツパレット６１２Ｌから編集ツールを選択し、編集対象画像表示部６１１Ｌに表示されている編集対象の撮影画像に文字や絵柄などを入力することができる。またコンテンツパレット６１２Ｌの上側で、編集対象画像表示部６１１Ｌの左側には、一発落書きを選択する際に操作されるボタン６１５Ｌも表示されている。
【０２３３】
ボタン６１５Ｌの上側であり、編集対象画像表示部６１１Ｌの左側には、ケータイおまけを選択する際に表示されるケータイおまけボタン６１４Ｌも表示されている。このケータイおまけボタン６１４Ｌには、携帯端末の待ち受け画像などを作成する際に操作されるボタンと、テキストデータに添付される装飾画像の作成するオリジナルデコメを作成する際に操作されるボタンが表示されている。
【０２３４】
編集対象画像表示部６１１Ｌの右側には、各種のボタンが表示されるボタン表示部６１６Ｌが表示される。図３３の例においては、撮影画像の編集を終了するときに操作される終了ボタン、編集対象画像表示部６１１Ｌに入力した画像を部分的に消去するときに用いられる消しゴムボタン、編集をはじめからやり直すときに操作されるボタン、１セット前に戻るときに操作されるボタン、編集の内容を一操作後の状態に戻すときに操作されるボタン、および、編集の内容を一操作前の状態に戻すときに操作されるボタンがボタン表示部６１６Ｌに表示されている。
【０２３５】
図３３に示したような構成を有する編集画面が、右側にも同様に設けられている。利用者は、このような編集画面において、撮影画像を編集することができる。すなわち編集対象画像として選択された撮影画像が、タブレット内蔵モニタ１３１に表示され、利用者による編集入力が受け付けられる。これにより、タッチペン１３２Ａ、タッチペン１３２Ｂが用いられた、いわゆる落書き編集が行われる。このとき、利用者は、スタンプツールやペンツールなどの編集ツールを用いて編集対象画像に落書きする。
【０２３６】
図３２に示したフローチャートの説明に戻り、ステップＳ２０２において、図３３に示したような編集画像が表示されると、ステップＳ２０３において、ケータイおまけの作成が選択されたか否かが判定される。この判定は、図３３に示した編集画面において、左側に図示したケータイおまけボタン６１４Ｌが操作されたか否かが判定されることで行われる。
【０２３７】
ステップＳ２０３において、ケータイおまけの作成は選択されたと判定された場合、ステップＳ２０４に処理が進められる。ステップＳ２０４において、ケータイおまけ作成処理が行われる。このステップＳ２０４において実行されるケータイおまけ作成処理については、図３４のフローチャートを参照し後述する。
【０２３８】
ステップＳ２０３において、ケータイおまけの作成は選択されていないと判定された場合、ステップＳ２０５に処理が進められる。ステップＳ２０５において、タブレット内蔵モニタ１３１より供給される入力信号（すなわち、タッチペン１３２の位置情報）に基づいて、利用者による指示が入力されたか（GUIに対する操作が行われたか）否かが判定される。
【０２３９】
利用者等によりタッチペン１３２が操作され、タブレット内蔵モニタ１３１に対して位置情報が入力されたと判定された場合、処理はステップＳ２０６に進められ、編集処理部３０２は、入力座標に基づいて入力された指示内容を把握し、その指示に対応する処理を行う。
【０２４０】
このような入力に対応する処理が終了すると、編集処理部３０２は、処理をステップＳ２０７に進める。またステップＳ２０５において指示が入力されていないと判定された場合、ステップＳ２０６の処理は省略され、ステップＳ２０７に処理が進められる。また、ステップＳ２０７には、ステップＳ２０４において、ケータイおまけ作成処理が終了された場合も来る。
【０２４１】
ステップＳ２０７において、編集処理部３０２は、所定の時間（制限時間）が経過したか、または、終了ボタンが操作されたか否かを判定する。編集処理部３０２は、制限時間に達しておらず、終了ボタンも操作されていないと判定した場合、処理をステップＳ２０３に戻し、それ以降の処理を繰り返す。
【０２４２】
すなわち、編集処理部３０２は、所定の時間が経過した、または、終了ボタンが操作されたと判定されるまで、ステップＳ２０３乃至Ｓ２０７の処理を繰り返し、落書き編集入力に対する処理を行う。そして、ステップＳ２０７において、所定の時間が経過した、または、終了ボタンが操作されたと判定された場合、処理はステップＳ２０８に進められる。
【０２４３】
ステップＳ２０８において、編集処理部３０２は、落書き編集が行われた編集画像（落書き編集結果）を印刷用の画像を作成するために、印刷対象画像として保存する。なお、この「保存する」とは、単に編集結果である編集画像を印刷処理に提供することを示すものであり、実際に、データを、RAM２０７や記憶部２０２に保存するかしないかは任意である。
【０２４４】
ステップＳ２０９において、編集処理部３０２は、編集画面の表示を終了し、編集入力の受け付けを終了する。ステップＳ２０９の処理を終了すると、編集処理部３０２は、編集処理を終了し、処理を図１８のステップＳ４に戻し、ステップＳ５以降の処理が実行される。
【０２４５】
［ケータイおまけ作成処理について］
次に、図３４のフローチャートを参照し、ステップＳ２０４において実行されるケータイおまけ作成処理について説明する。上記したように、携帯端末用の待受画面やオリジナルデコメの作成が所望された場合、ケータイおまけボタン６１４Ｌ内のボタンが操作される。ケータイおまけボタン６１４Ｌが操作されると、図３４に示したフローチャートの処理が開始される。
【０２４６】
ステップＳ２５１において、加工を行うか否かの選択画面がタブレット内蔵モニタ１３１に表示される。図３５は、ステップＳ２５１においてタブレット内蔵モニタ１３１に表示される加工を行うか否かの選択画面の一例である。加工を行うか否かの選択画面は、図３５に示したように、２つの選択肢が表示される。
【０２４７】
“加工”という加工ボタン６５１は、後述するように、撮影画像の色彩などを加工した後に編集を施し、携帯端末用の画像を作成する場合に操作されるボタンである。“通常”という通常ボタン６５２は、通常の編集を施し、携帯端末用の画像を作成する場合に操作されるボタンである。
【０２４８】
選択肢ではないが、選択画面には、ケータイおまけの作成をやめるときに操作されるボタン６５３も表示されている。ここでは、加工ボタン６５１または通常ボタン６５２のどちらかが操作されたとして説明を続けるが、ボタン６５３が操作されたときには、図３４に示したフローチャートの処理は終了され、処理は、ステップＳ２０７（図３２）に戻され、画面は図３３に示した編集画面に戻される。
【０２４９】
図３４のフローチャートの説明に戻り、ステップＳ２５１において、図３５に示したような選択画面が表示されると、ステップＳ２５２において、加工が選択されたか否かが判定される。すなわち、加工ボタン６５１が操作されたか否かが判定される。
【０２５０】
ステップＳ２５２において、加工ボタン６５１が操作されたと判定された場合、ステップＳ２５３に処理が進められる。ステップＳ２５３において、切り取り画面が、タブレット内蔵モニタ１３１に表示される。図３６に、タブレット内蔵モニタ１３１に表示される切り取り画面の一例を示す。
【０２５１】
図３６に示した切り取り画面の上部には、形状選択部６７１が表示される。切り取り枠６７３Ａの形状が、形状選択部６７１に表示されている例えば４種類の形状の中から選択できるように構成されている。
【０２５２】
形状選択部６７１の下側には、画像選択部６７２が形成され、撮影処理後に編集対象として選択された６枚の撮影画像が、それぞれ縮小されて表示される。画像選択部６７２から選択された撮影画像が、編集対象の画像として、画像選択部６７２の下の編集対象画像表示部６７３に拡大して表示される。
【０２５３】
編集対象画像表示部６７３に表示された編集対象の撮影画像には、切り取り枠６７３Ａが重ねて表示される。利用者は、タッチペン１３２を切り取り枠６７３Ａにあて、その状態で編集対象画像表示部６７３上を移動させることによって切り取り枠６７３Ａの位置を移動させることができる。
【０２５４】
切り取り枠６７３Ａの右下隅には、切り取り枠６７３Ａを拡大縮小させるときに操作されるボタンである拡大縮小ボタンが表示される。利用者は、タッチペン１３２を拡大縮小ボタンにあて、その状態で編集対象画像表示部６７３上を右下方向に移動させることによって、左上隅の位置を固定として、縦横比をそのままに切り取り枠６７３Ａを拡大することができる。
【０２５５】
また、タッチペン１３２を拡大縮小ボタンにあて、その状態で編集対象画像表示部６７３上を左上方向に移動させることによって、左上隅の位置を固定として、縦横比をそのままに切り取り枠６７３Ａを縮小することができる。
【０２５６】
切り取り枠６７３Ａの形状が選択されたとき、編集対象の撮影画像のうちの切り取り枠６７３Ａ内の範囲が表示部６７４に表示される。表示部６７４は、携帯電話機の外観を表す画像のうちのディスプレイの部分に形成されている。例えば、切り取り枠６７３Ａの大きさと形状が選択され、決定ボタン６７５が操作されたとき、編集対象の撮影画像のうちの切り取り枠６７３Ａ内の範囲が編集処理部３０２により切り出される。
【０２５７】
編集対象画像表示部６７３の右下側には切り取り範囲を決定するときに操作される決定ボタン６７５が表示される。また、その決定ボタン６７５の右側には、ケータイおまけの作成をやめるときに操作されるやめるボタン６７６が表示されている。
【０２５８】
なお、ここでは、編集画面のうち、左側の利用者に対して提供される編集画面を例にあげて説明をしているが、図３６に示したような画面は、右側の利用者に対しても提供される。すなわち、右側の利用者が、ケータイおまけを作成すると指示したときには、図３６に示したような構成を有する画面が、右側の利用者に対して提供される。
【０２５９】
また、左側の利用者と右側の利用者の一方が、ケータイおまけの作成を指示したときには、その指示した側の利用者に対して図３６に示した画面が提供される。また、左側の利用者と右側の利用者の一方が、ケータイおまけの作成を指示したときには、他方の利用者に対しても、図３６に示した画面が提供されるようにし、両方の利用者が共に、ケータイおまけの作成を行うようにしても良い。
【０２６０】
図３４のフローチャートの説明に戻り、ステップＳ２５３において、図３６に示したような切り取り画面が表示されると、ステップＳ２５４において、切り取り枠が操作されたか否かが判定される。切り取り枠６７３Ａに対しては、上記したように、拡大、縮小、移動が行えるように構成されている。よって、ステップＳ２５４においては、そのような切り取り枠６７３Ａに対する指示がなされたか否かが判定される。
【０２６１】
ステップＳ２５４において、切り取り枠６７３Ａが操作されたと判定された場合、ステップＳ２５５に処理が進められ、切り取り枠６７３Ａに対してなされた操作に対応し、切り取り枠６７３Ａが変更される。この切り取り枠６７３Ａの変更に応じて、表示部６７４内の画像も更新される。
【０２６２】
一方、ステップＳ２５４において、切り取り枠６７３Ａに対する指示はなされていないと判定された場合、ステップＳ２５６に処理は進められる。ステップＳ２５６において、やめるボタン６７６が操作されたか否かが判定される。ステップＳ２５６において、やめるボタン６７６が操作されたと判定された場合、図３４に示したケータイおまけの作成処理は終了され、処理は、ステップＳ２０７（図３２）に戻され、画面は図３３に示した編集画面に戻される。
【０２６３】
一方、ステップＳ２５６において、やめるボタン６７６は操作されていないと判定された場合、ステップＳ２５７に処理が進められる。ステップＳ２５７において、決定ボタン６７５が操作されたか否かが判定される。ステップＳ２５７において、決定ボタン６７５は操作されていないと判定された場合、ステップＳ２５４に処理が戻され、それ以降の処理が繰り返される。
【０２６４】
一方、ステップＳ２５７において、決定ボタン６７５が操作されたと判定された場合、ステップＳ２５８に処理が進められる。ステップＳ２５８において、加工種類の選択画面がタブレット内蔵モニタ１３１に表示される。この加工種類の選択画面がタブレット内蔵モニタ１３１に表示されるまでに、編集処理部３０２は、決定ボタン６７５が操作されることに応じて、切り取り枠６７３Ａ内の撮影画像を切り出す。
【０２６５】
このような切り取りの処理に時間がかかるなどの場合、切り取りの処理が行われていることを利用者に知らせるために、加工種類の選択画面が表示される前に、図３７に示すような画面がタブレット内蔵モニタ１３１に表示されるようにしても良い。
【０２６６】
図３７を参照するに、タブレット内蔵モニタ１３１には、“画像切り取り中だよ！”というメッセージ６９１が表示される。このようなメッセージ６９１が表示されることで、利用者は、画像を切り取る処理が行われていることを認識することができ、自己の指示が正常に伝わっていることを認識し、安心して次の処理に移行するまで待機することができる。
【０２６７】
このような図３７に示したような画面が表示された後、または、図３６に示したような画面が表示され、決定ボタン６７５が操作された後、図３８に示したような画面にタブレット内蔵モニタ１３１の表示が切り替えられる。
【０２６８】
図３８は、ステップＳ２５８においてタブレット内蔵モニタ１３１（この場合、タブレット内蔵モニタ１３１の左側）に表示される加工種類選択画面の一例を示す図である。加工種類選択画面は、加工の種類を選択するための種類であるが、図３８に示した例は、加工として、画像の色合いが変更される加工である場合である。
【０２６９】
画像表示部７１１には、図３８に示したでは９枚の画像が表示されている。各画像は、切り出された画像であり、同じ画像であるが、異なる色合いとされている。例えば、ノーマル（加工なし）の画像、セピア色の画像、青色系の画像など、色合いの異なる画像が一覧表示される。利用者は、一覧表示された画像群から、所望の色合いの画像を選択することができる。一覧表示することで、他の画像との比較をしやすく、好みの色合いを探し出しやすくなる。
【０２７０】
また、画像表示部７１１に表示されている画像は、図３６に示した画面が提示され、利用者の指示に基づいて切り出された画像に、複数の画像処理、例えば、図３１に示した画面において、目のサイズや明るさに関して利用者が指示した画像処理が施された画像である。そして、そのような複数の画像処理が施された画像の異なる色合いとされた画像が、画像表示部７１１に表示されている。このように、画像処理が施された画像を表示することで、利用者に、携帯端末２に送信され、表示される画像のイメージを、より認識させやすくなる。
【０２７１】
画像表示部７１１の左下側には、撮影画像からの切り取りをやり直したいときに操作されるやり直しボタン７１２が表示されている。また画像表示部７１１の中央下側には、選択した加工で良い時に操作される決定ボタン７１３が表示されている。また、画像表示部７１１の右下側には、ケータイおまけの作成を中止するときに操作されるやめるボタン７１４が表示されている。
【０２７２】
このような画面が、ステップＳ２５８（図３４）において表示されると、ステップＳ２５９において、やめるボタン７１４が操作されたか否かが判定される。ステップＳ２５９において、やめるボタン７１４が操作されたと判定された場合、図３４に示したケータイおまけの作成処理は終了され、処理は、ステップＳ２０７（図３２）に戻され、画面は図３３に示した編集画面に戻される。
【０２７３】
一方、ステップＳ２５９において、やめるボタン７１４は操作されていないと判定された場合、ステップＳ２６０に処理が進められる。ステップＳ２６０において、切り取り画面に戻る際に操作されるやり直しボタン７１２が操作されたか否かが判定される。
【０２７４】
ステップＳ２６０において、やり直しボタン７１２が操作されたと判定された場合、ステップＳ２５３に処理が戻され、それ以降の処理が繰り返される。また、タブレット内蔵モニタ１３１に表示されている図３８に示したような加工選択画面は、図３６に示した切り取り画面に切り替えられる。
【０２７５】
一方、ステップＳ２６０において、切り取り画面に戻るときに操作されるやり直しボタン７１２は操作されていないと判定された場合、ステップＳ２６１に処理が進められる。
【０２７６】
ステップＳ２６１において、決定ボタン７１３が操作されたか否かが判定される。ステップＳ２６１において、決定ボタン７１３は操作されていないと判定された場合、ステップＳ２５９に処理が戻され、それ以降の処理が繰り返される。
【０２７７】
一方、ステップＳ２６１において、決定ボタン７１３が操作されたと判定された場合、ステップＳ２６２に処理が進められる。ステップＳ２６２において、ケータイおまけの作成における編集画面がタブレット内蔵モニタ１３１に表示される。
【０２７８】
ステップＳ２６２において、タブレット内蔵モニタ１３１に表示される編集画面を、図３９に示す。図３９に示した編集画面には、編集対象画像表示部７３１が設けられている。この編集対象画像表示部７３１には、撮影画像から切り取られ、加工が施された画像が表示される。
【０２７９】
なお、この編集画面には、後述するように、加工しないと選択された場合にも表示される画面である。加工しないと選択された場合には、編集対象画像表示部７３１には、撮影画像から切り取られた画像が表示される。
【０２８０】
編集対象画像表示部７３１の右側には、各種のボタンが表示されるボタン表示部７３２が表示される。このボタン表示部７３２に表示されているボタンは、図３３に示した編集画面内のボタン表示部６１６Ｌと同じボタンである。ただし、ケータイおまけの作成のときには、消しゴムボタンは、使用できないような表示とされている。これは、編集対象画像表示部７３１の下側に消しゴムボタン７３６として設けられているためである。
【０２８１】
編集対象画像表示部７３１の下側には、左から順に、ケータイおまけの作成を終了するときに操作される終了ボタン７３３、切り取りをやり直すときに操作されるやり直しボタン７３４、背景を選び直すときに操作される再選択ボタン７３５、消しゴムボタン７３６が表示されている。これらのボタンの下側には、コンテンツパレット７３７が表示されている。
【０２８２】
コンテンツパレット７３７は、図３３に示した編集画像のコンテンツパレット６１２Ｌと同じ構成とし、スタンプツールなどの各種の編集ツールのタブが表示され、タブを選択することによって、編集ツールを切り替えることができる構成とされていても良い。図３９に示したコンテンツパレット７３７は、コンテンツパレット６１２Ｌとは異なり、編集対象画像の枠を編集するツールと背景を編集するツールが設けられている。利用者は、コンテンツパレット７３７を用いて、枠や背景を編集することができる。
【０２８３】
このような編集画面が、ステップＳ２６２（図３４）において表示されると、ステップＳ２６３において、指示が入力されたか否かが判定される。ステップＳ２６３において、指示が入力されたと判定された場合、ステップＳ２６４に処理が進められ、その指示に対応する処理が実行される。
【０２８４】
切り取りをやり直すときに操作されるやり直しボタン７３４が操作された場合、ステップＳ２５３に処理が戻され、それ以降の処理が繰り返される。また、タブレット内蔵モニタ１３１に表示されている図３９に示したような編集画面は、図３６に示した切り取り画面に切り替えられる。
【０２８５】
また、消しゴムボタン７３６や、コンテンツパレット７３７内のボタンが操作されたときには、その操作に対応する処理が実行され、編集対象画像表示部７３１に表示されている画像も、その処理に対応して更新される。
【０２８６】
また、背景を選択し直すときに操作される再選択ボタン７３５が操作されたときには、図４０に示すような画面が、タブレット内蔵モニタ１３１に表示される。図４０に示した画面は、メッセージ７５１が表示されている画面である。
【０２８７】
メッセージ７５１には、“背景を選び直す？？”というメッセージと、“今書いているらくがきは消えちゃうよ！”という注意書きが表示されている。そして、“やっぱりやめる”というボタンと、“やり直す”というボタンが提示されている。この場合、背景を選び直すことで、その時点までに行った落書きが消えてしまうため、落書きが消えてしまっても背景を選択し直すか否かの最終的な判定を利用者に行ってもらうために、図４０に示したようなメッセージ７５１が表示される。
【０２８８】
このようなメッセージ７５１を見て、利用者が、“やっぱりやめる”というボタンを操作した場合には、背景の再選択に係わる処理は行われずに元の画面に戻される。一方、利用者が“やり直す”というボタンを操作した場合には、背景の再選択を行うための処理に移行され、背景が削除された画面に戻される。
【０２８９】
このような編集が行われている一方で、ステップＳ２６５において、所定の時間（制限時間）が経過したか、または、終了ボタンが操作されたか否かが判定される。編集処理部３０２は、制限時間に達しておらず、終了ボタンも操作されていないと判定した場合、処理をステップＳ２６３に戻し、それ以降の処理を繰り返す。
【０２９０】
ステップＳ２６５において、所定の時間が経過した、または、終了ボタンが操作されたと判定された場合、処理はステップＳ２０４（図３２）に戻され、その後、ステップＳ２０７に進められる。ステップＳ２０７においても、所定の時間（制限時間）が経過したか、または、終了ボタンが操作されたか否かが判定される。
【０２９１】
ケータイおまけの作成にかけられる所定の時間が、編集自体にかけられる所定の時間を超えた場合には、編集自体が終了されるようにしても良い。またはケータイおまけの作成にかけられる所定の時間は、編集自体にかけられる所定の時間よりも短い時間に設定され、ステップＳ２６５においてはケータイおまけの作成のために設定されている所定の時間が経過したか否かが判定され、ステップＳ２０７においては、編集の総時間として設定されている所定の時間が経過したか否かが判定されるようにしても良い。
【０２９２】
図３４のフローチャートに説明に戻り、ステップＳ２５２において、加工は選択されていないと判定された場合、ステップＳ２６６に処理が進められる。図３５に示したような選択画面が表示されているときに、利用者が通常ボタン６５２を操作した場合、ステップＳ２５２において、加工は選択されていないと判定され、ステップＳ２６６に処理が進められる。
【０２９３】
通常の編集は、上記した色合いなどを変更する加工が行われない編集であるため、図３８に示した加工の種類を選択するための画面が利用者に提示されない点が、加工を含む処理の場合と異なる。よって処理としては、撮影画像からの切り取りが行われ、その切り取られた画像に対する編集が行われるという処理の流れとなる。
【０２９４】
ステップＳ２６６において、タブレット内蔵モニタ１３１に切り取り画面が表示される。このとき表示される切り取り画面は、例えば、図３６に示した切り取り画面とすることができる。ここでは、図３６に示した切り取り画面と同様の画面が表示されるとし、詳細な説明は省略する。
【０２９５】
ステップＳ２６７において、切り取り枠６７３Ａが操作されたか否かが判定され、操作されたと判定されたときには、ステップＳ２６８において、操作に応じた枠に、切り取り枠６７３Ａが変更される。一方、ステップＳ２６７において、切り取り枠は操作されていないと判定された場合、または、ステップＳ２６８において、切り取り枠に対する変更が終了した場合、ステップＳ２６９に処理が進められる。
【０２９６】
ステップＳ２６９において、やめるボタン６７６が操作されたか否かが判定される。ステップＳ２６９において、やめるボタン６７６が操作されたと判定された場合、図３４に示したケータイおまけの作成処理は終了され、処理は、ステップＳ２０７（図３２）に戻され、画面は図３３に示した編集画面に戻される。
【０２９７】
一方、ステップＳ２６９において、やめるボタン６７６は操作されていないと判定された場合、ステップＳ２７０に処理が進められる。ステップＳ２７０において、決定ボタン６７５が操作されたか否かが判定される。ステップＳ２７０において、決定ボタン２５７は操作されていないと判定された場合、ステップＳ２６７に処理が戻され、それ以降の処理が繰り返される。
【０２９８】
一方、ステップＳ２７０において、決定ボタン６７５が操作されたと判定された場合、ステップＳ２６２に処理が進められる。ステップＳ２６２において、専用落書きの編集画面がタブレット内蔵モニタ１３１に表示される。この専用落書き編集画面は、例えば、図３９に示した編集画面とすることができる。ここでは、図３９に示した編集画面が表示されるとして、その説明は既にしたので省略する。ただし、編集対象画像表示部７３１に表示される画像は、撮影画像から切り出された画像であるが、加工が施されてない画像である。
【０２９９】
ステップＳ２６２以降の処理については、上記した場合と同様に行うことが可能であるため、ここではその説明を省略する。このようにして、ケータイおまけの作成が実行されると、処理はステップＳ２０４（図３２）に戻され、その後、ステップＳ２０７に進められる。このようにして、編集に係わる処理が行われる。
【０３００】
［画像送信に係わる処理１について］
このような撮影処理や編集処理が終了されると、ステップＳ５（図１８）において、事後接客空間への移動案内が行われ、ステップＳ６において、印刷処理が行われ、ステップＳ７において事後接客処理が行われる。利用者に対しては、移動案内や事後接客が開始される一方で、写真シール作成装置１から管理サーバ３に対して、画像の送信が行われる。その画像の送信に係わる処理について説明する。
【０３０１】
図４１は、画像送信に係わる処理について説明するためのフローチャートである。まず、ステップＳ３０１において、事後接客ゲーム内容選択画面が表示される。この事後接客ゲーム内容選択画面は、編集処理部３０２が、編集ブースのタブレット内蔵モニタ１３１に、撮影ブースでの撮影が終わった時点で、撮影ブースでの撮影が終わった利用者に対して表示する画面である。例えば、図４２に示したような画面が、タブレット内蔵モニタ１３１に表示される。
【０３０２】
図４２に示した画面は、事後接客時のゲームを利用者に選択させるための画面であり、“携帯送信する”というボタン８０１と“ミニゲームをする”というボタン８０２が設けられている。このような画面において、“携帯送信する”というボタン８０１が操作されると、事後接客（印刷待ちの時間）中に、携帯端末２（図１）でも撮影画像や編集画像が見られるようにするための「携帯送信」ゲームが実行される。“ミニゲームをする”というボタン８０２が操作されると、事後接客中に、印刷待ちの時間内で終わるようなゲームが提供される。
【０３０３】
このような画面は、撮影が終了後、編集ブース内のタブレット内蔵モニタ１３１に、所定の時間表示され、その所定の時間が経過後、図３３に示した編集画面に切り替えられる。利用者は、撮影ブースから編集ブースに移動し、図４２に示したような画面を見るが、その移動に時間がかかり、表示されている所定の時間が経過してしまうと、図４２に示したような画面を見ることなく、図３３に示した編集画面における編集が開始される。
【０３０４】
このような場合、利用者は、携帯端末２で撮影画像などを閲覧することを所望していたにも係わらず、“携帯送信する”というボタン８０１を操作することができず、そのような要望がかなわない可能性がある。このようなことは、利用者の満足度を低下させることになる。
【０３０５】
携帯端末２で撮影画像などが閲覧できるようにするために写真シール作成装置１側で行われる携帯送信に係わる処理は、一旦管理サーバ３に写真シール作成装置１から画像が送信され、管理サーバ３側で蓄積され、その蓄積された画像データが、携帯端末２に供給されることで行われる。“携帯送信する”というボタン８０１を操作されなかった場合、管理サーバ３に画像が送信されないため、利用者の携帯端末２に画像が供給されず、仮に利用者が携帯端末２で画像の閲覧を所望したとしても対応できないことになる。
【０３０６】
このようなことを無くすために、利用者が、携帯送信を所望したか否かに係わらず、写真シール作成装置１から管理サーバ３に画像が送信されるように構成することもできるが、このようにした場合、写真シール作成装置１の送信処理にかかる負荷や、管理サーバ３での受信や画像の管理にかかる負荷が増えてしまう。
【０３０７】
そこで、本実施の形態においては、図４１に示したフローチャートに基づき画像送信に係わる処理が実行されるようにし、写真シール作成装置１と管理サーバ３の負荷を増やすことなく、また、利用者の満足度を低下させることが無いような処理が実行される。
【０３０８】
図４１に示したフローチャートに説明に戻り、ステップＳ３０２において、「携帯送信」ゲームが選択されたか否かが判定される。この判定は、図４２に示したような画面が利用者に提示され、この画面を利用者が見て、“携帯送信する”というボタン８０１を操作したか否かが判定されることで行われる。
【０３０９】
ステップＳ３０２において、「携帯送信」ゲームが選択されたと判定された場合、ステップＳ３０５に処理が進められる。ステップＳ３０５において、写真シール作成装置１から管理サーバ３に対して全画像が送信される。全画像とは、利用者が落書きした編集済の画像の全てである。さらに編集されていない撮影画像も全画像に含まれていても良い。また、ここでは、全画像が送信されるとして説明を続けるが、通常の場合、携帯端末に送信するとしてユーザに選択された画像のみが送信されるようにしても良い。
【０３１０】
この場合、利用者は、「携帯送信」ゲームを選択しており、携帯送信を望んでいるという意思表示を明確に示している。よって、ステップＳ３０５において、全画像の送信が行われる。このことにより、携帯送信を望んでいる利用者に対しては、そのような要望を確実に満たすことが可能となり、利用者の満足度を低下させるようなことを防ぐことが可能となる。
【０３１１】
一方、ステップＳ３０２において、「携帯送信」ゲームは選択されていないと判定された場合、ステップＳ３０３に処理が進められる。ステップＳ３０３において、「携帯送信」ゲームが選択されなかったのは、タイムアウトによるものか否かが判定される。「携帯送信」ゲームが選択されなかった状況として、以下の２つの状況が考えられる。
【０３１２】
第１の状況として、利用者が、図４２に示したような画面を見て、“ミニゲームをする”というボタン８０２を選択したときである。このときは、利用者は携帯送信を望んでいないという意志表示であると明確に読み取れる。よって、このような場合には、後述するように、管理サーバ３に画像は送信されない。
【０３１３】
第２の状況として、利用者が、撮影ブースから編集ブースへの移動に時間がかかり、所定の時間が経過してしまい、図４２に示したような画面を見ることが無く、結果として、“ミニゲームをする”というボタン８０２が操作された場合と同様の扱いがされたときである。このような状況をここではタイムアウトと記述する。すなわち、利用者自体は、携帯送信を望んでいたかもしれないが、タイムアウトのために、“携帯送信する”というボタン８０１を操作できなかった場合が、第２の状況である。
【０３１４】
ステップＳ３０３において、「携帯送信」ゲームが選択されなかったのは、タイムアウトによるものか否かが判定されることで、第２の状況の場合でも、全画像が送信されるようにすることができる。第２の状況のようなときでも、全画像が管理サーバ３に送信されることで、携帯端末２に写真シール作成装置１で撮影した（編集した）画像を供給することができる状態となるため、利用者が携帯端末２で画像を閲覧したいときなどに対応することができる。
【０３１５】
ステップＳ３０３において、「携帯送信」ゲームが選択されなかったのは、タイムアウトによるものであると判定された場合、ステップＳ３０４に処理が進められる。ステップＳ３０４において、ケータイおまけを作成したか否かが判定される。仮にタイムアウトで事後接客時のゲームとして、「携帯送信」ゲームを選択できなかった場合であっても、編集作業時に上述したケータイおまけを作成していた場合、利用者は、携帯端末２で撮影画像や編集画像を閲覧したいと所望していると判定できる。
【０３１６】
よって、このようなときには、事後接客ゲーム内容選択画面において「携帯送信」ゲームが選択されなくても、利用者は、「携帯送信」ゲームを所望していると判定し、全画像が管理サーバ３に送信されるようにする。すなわち、ステップＳ３０４において、ケータイおまけの作成がされたと判定された場合、ステップＳ３０５に処理が進められ、全画像が管理サーバ３に送信される。
【０３１７】
一方、ステップＳ３０４において、ケータイおまけの作成がされていないと判定された場合、画像送信に係わる処理は終了される。この場合、事後接客ゲーム内容選択画面において「携帯送信」ゲームが選択されなかったのはタイムアウトによるものだが、その後の編集作業においても、携帯送信のための編集は行われていないので、結果として、利用者は携帯送信を望んでいないと考えられる。よって、このような場合には、管理サーバ３に対して画像を送信する処理は行わず、画像送信に係わる処理は終了される。
【０３１８】
このように、利用者が携帯送信を望んでいないと判定できるときには、管理サーバ３に画像を送信しないことで、写真シール作成装置１において、画像を送信するための処理の負担を軽減することができ、管理サーバ３において、画像を受信し、蓄積するための処理の負担を軽減させることが可能となる。
【０３１９】
また、ステップＳ３０３において、タイムアウトによるものではないと判定された場合にも、管理サーバ３に対して画像を送信する処理は行われずに、画像送信に係わる処理は終了される。この場合、タイムアウトにより、事後接客ゲーム内容選択画面において「携帯送信」ゲームが選択されなかったのではなく、利用者の意図により、“ミニゲームをする”というボタン８０２が操作されたために、「携帯送信」ゲームが選択されなかったと判定できる。すなわちこの場合、利用者は、携帯送信を望んでいないと判定できるので、管理サーバ３に対して画像を送信する処理は行われずに、画像送信に係わる処理は終了される。
【０３２０】
このように、利用者が携帯送信を望んでいると判定できるときには、管理サーバ３に写真シール作成装置１から全画像が送信される。
【０３２１】
［画像送信に係わる処理２について］
画像送信に係わる他の処理について説明する。上記した画像送信に係わる処理１では、編集作業において、ケータイおまけの作成が行われた否かを判定し、ケータイおまけの作成がされたときには、仮にタイムアウトであっても、全画像が管理サーバ３に送信される場合を例にあげて説明した。
【０３２２】
利用者によっては、携帯端末２において写真シール作成装置１で撮影、編集した画像を閲覧したいと所望しても、ケータイおまけの作成を行わない可能性もある。そのような利用者に対しても対応するために、図４３に示したフローチャートの処理が実行されるようにしても良い。
【０３２３】
すなわち、ステップＳ３２１において、事後接客ゲーム内容選択画面が表示される。この事後接客ゲーム内容選択画面は、編集処理部３０２が、編集ブースのタブレット内蔵モニタ１３１に、撮影ブースでの撮影が終わった時点で、表示する画面である。例えば、図４２に示したような画面が、タブレット内蔵モニタ１３１に表示される。この処理は、図４１に示したフローチャートのステップＳ３０１の処理と同様である。
【０３２４】
ステップＳ３２２において、「携帯送信」ゲームが選択されたか否かが判定される。この処理も、図４１に示したフローチャートのステップＳ３０２と同様に行われ、図４２に示したような画面において、“携帯送信する”というボタン８０１が操作されたか否かが判定されることで行われる。
【０３２５】
ステップＳ３２２において、「携帯送信」ゲームが選択されたと判定された場合、ステップＳ３２４に処理が進められる。この場合、利用者は、携帯送信を望んでいると判定できるため、写真シール作成装置１から管理サーバ３に対して、全画像が送信され、管理サーバ３側で蓄積される。
【０３２６】
一方、ステップＳ３２２において、「携帯送信」ゲームは選択されていないと判定された場合、ステップＳ３２３に処理が進められる。ステップＳ３２３において、タイムアウトによるものか否かが判定される。このステップＳ３２３の処理は、図４２のフローチャートのステップＳ３０３の処理と同様に行われる。
【０３２７】
ステップＳ３２３において、「携帯送信」ゲームが選択されなかったのは、タイムアウトによるものであると判定された場合、ステップＳ３２４に処理が進められ、写真シール作成装置１から管理サーバ３に対して全画像が送信される。このように処理が行われることで、タイムアウトにより、「携帯送信」ゲームを選択できなかった利用者が、携帯送信を望んだときにも、その要望に対応することが可能となる。
【０３２８】
一方、ステップＳ３２３において、「携帯送信」ゲームが選択されなかったのは、タイムアウトによるものではないと判定された場合、すなわち、図４２に示したような画面において、“ミニゲームをする”というボタン８０２が操作されたと判定された場合、管理サーバ３に対して画像を送信する処理は行わず、画像送信に係わる処理は終了される。
【０３２９】
図４３に示したフローチャートに基づいて画像送信に係わる処理が実行された場合も、図４１に示したフローチャートに基づいて画像送信に係わる処理が実行された場合と同じく、利用者が携帯送信を望んでいると判定できるときには、管理サーバ３に写真シール作成装置１から全画像が送信されるようにし、利用者の要望に対応することができる。
【０３３０】
［事後接客の処理について］
画像送信に係わる処理が、編集処理部３０２で行われる一方で、事後接客処理部３０４において事後接客の処理が開始される。事後接客処理部３０４が行う事後接客について、図４４のフローチャートを参照して説明する。
【０３３１】
なお、図４４のフローチャートを参照した説明は、全画像送信が行われたときに実行される事後接客に係わる処理であり、ミニゲームなどの事後接客の処理が行われる場合にはミニゲームなどを利用者に提供するための処理が行われるが、ここではその説明は省略する。
【０３３２】
ステップＳ４０１において、事後接客処理部３０４は、タブレット内蔵モニタ１６１に携帯端末送信用画像選択画面（不図示）を表示させ、利用者に携帯端末送信用画像を選択させて、利用者の選択を受け付ける。ステップＳ４０２において、送信画像が選択されたか否かが判定され、選択されたと判定された場合、ステップＳ４０３に処理が進められる。
【０３３３】
ステップＳ４０３において、携帯端末送信用画像選択画面で、利用者により選択された携帯送信用画像のID（携帯送信用画像ID）が管理サーバ３に送信される。携帯送信用画像ＩＤが送信される一方で、ステップＳ４０４において、事後接客処理部３０４は、タブレット内蔵モニタ１６１にメールアドレス入力画面（不図示）を表示させ、利用者による携帯端末２のメールアドレスの入力を受け付ける。
【０３３４】
なお、携帯端末２のメールアドレスの入力は、写真シール作成装置１の非接触型ICリーダ／ライタ１６３と、携帯端末２の非接触型IC（不図示）との近接通信により受け付けられるようにしてもよい。
【０３３５】
ステップＳ４０５において、アドレス入力が確定されたか否かが判定される。例えば、アドレス入力画面には、確定というボタンが表示されており、その確定というボタンが操作されたとき、アドレス入力が確定されたと判定される。
【０３３６】
ステップＳ４０５において、アドレス入力が確定されたと判定された場合、ステップＳ４０６に処理が進められる。利用者によってメールアドレス入力画面に携帯端末２のメールアドレスが入力されると、ステップＳ４０６において、入力された携帯端末２のメールアドレスが管理サーバ３に送信される。このようにして、「携帯送信」ゲームが行われる。
【０３３７】
一方、ステップＳ４０２において、送信画像は選択されていないと判定された場合、またはステップＳ４０５において、アドレス入力は確定されていないと判定された場合、ステップＳ４０７に処理が進められる。事後接客処理が行われる時間は、予め設定されており、その時間を超えて送信画像の選択やアドレスの入力は行えないように設定されている。
【０３３８】
よって、設定されている所定の時間が経過してしまい、送信画像の選択が終了しなかった場合や、アドレスの入力が終了しなかった場合には、ステップＳ４０７における処理が実行される。ステップＳ４０７において、管理サーバ３で管理されている自己の撮影画像や編集画像を得るために必要なIDが、シール紙に印字され、利用者に提供される。利用者は、所定のサイト（管理サーバ３が管理するサイト）に携帯端末２でアクセスし、IDを入力することで、管理サーバ３で管理されている自己の撮影画像や編集画像を得ることができるように構成されている。
【０３３９】
このようにして、「携帯送信」ゲームに係わる事後接客の処理が行われる。このような事後接客処理が終了されると、処理はステップＳ７（図１８）に戻され、ステップＳ８に処理が進められる。ステップＳ８において、シール紙が排出されることで、一連の写真シール作成装置１によるゲームが終了される。
【０３４０】
［他の撮影処理について］
次に、上記した撮影処理とは異なる処理を含む撮影処理について説明する。上記した撮影処理、例えば、図１９、図２０を参照して説明した撮影処理には、携帯端末２用の画像を撮影する処理は含まれていなかった。写真シール作成装置１のなかには、撮影時に、携帯端末２用の画像を撮影することで、より携帯端末２に適した画像を提供し、利用者の満足度を高める装置がある。そこで、ここでは、撮影時に、携帯端末２用の画像（携帯送信用の画像）を撮影する処理が含まれる撮影処理について説明する。
【０３４１】
図４５、図４６を参照し、携帯送信用の画像を撮影する処理を含む撮影処理について説明する。以下に説明する撮影処理は、図１９、図２０を参照して説明した撮影処理に、携帯送信用の画像を撮影する処理を追加した撮影処理となっている。よってここでは、重複する説明は省略し、携帯送信用の画像を撮影する処理の部分について説明を加える。
【０３４２】
ステップＳ５０１乃至Ｓ５０７は、図１９のステップＳ３１乃至Ｓ３７と同様の処理である。ステップＳ５０８において、撮影処理部３０１は、事後接客における携帯送信ゲームによって利用者の携帯端末に送信される画像であって、携帯端末上で利用者により利用される携帯送信後利用画像である「使えるプリ画」の撮影についてのガイダンスを行うためのガイダンス画面を、タッチパネルモニタ９３に表示する。
【０３４３】
図示はしないが、タッチパネルモニタ９３に表示される「使えるプリ画」撮影のガイダンス画面には、「使えるプリ画」の用途が表示されている。「使えるプリ画」の用途としては、例えば、「お祝いメール」、「ブログデコ」、「コーデアルバム」などがあり、それぞれの用途に応じた撮影によって得られる「使えるプリ画」のサンプル画像も、ガイダンス画面に表示されている。
【０３４４】
なおここでは、「使えるプリ画」を例にあげて説明を行うが、上記したケータイおまけの作成と同じく待ち受け画面やオリジナルデコメなどに対する撮影のガイダンスでも良い。
【０３４５】
ここで、「お祝いメール」は、携帯端末に送信された画像を、利用者の友達等に対するメッセージを含むグリーティングカードの代わりとして、利用者の友達等にメールや専用サイトを介して送信することを目的とする用途である。「ブログデコ」は、携帯端末に送信された画像を、通信ネットワーク（インターネット）を介してやりとりされるテキストデータ（メールやブログ）に添付される装飾画像（デコ画像）として用いることを目的とする用途である。そして、「コーデアルバム」は、携帯端末に送信された画像を、撮影時の利用者の状態、具体的には、撮影時の利用者の装い（服装、ネイル、化粧、アクセサリ等の装飾品）を記録するための記録用画像として保存することを目的とする用途である。
【０３４６】
ガイダンス画面には、「使えるプリ画」撮影を行うか否かを選択するボタンも表示されるようにしても良い。このボタンは、表示されないように構成することも可能である。例えば、利用者は、「使えるプリ画」を利用したくて、そのような機能を有する写真シール作成装置１で撮影を行っていると考えられるので、このような「使えるプリ画」撮影を行うか否かを選択するボタンを設けず、必ず「使えるプリ画」撮影が行われるようにしても良い。
【０３４７】
ここでは、このような「使えるプリ画」撮影を行うか否かを選択するボタンがガイダンス画面に表示されるとして説明を続ける。
【０３４８】
ステップＳ５０９において、携帯送信用の撮影を行うか否かが判定される。この判定は、ガイダンス画面に表示されている「使えるプリ画」撮影を行うか否かを選択するボタンのうち、撮影を行うまたは行わないというボタンが操作されたか否かが判定されることで行われる。
【０３４９】
なお、「お祝いメール」、「ブログデコ」、「コーデアルバム」などの携帯送信用の用途と共に、撮影しないという用途（ボタン）を設け、「お祝いメール」、「ブログデコ」、「コーデアルバム」が選択されたときには、撮影を行うと判定され、撮影しないという用途（ボタン）が選択されたときには、撮影を行わないと判定されるようにしても良い。また、携帯送信用の撮影を行うというボタンが操作されなかった場合、撮影を行わないと判定されても良い。
【０３５０】
ステップＳ５０９において、携帯送信用の撮影を行うと判定された場合、ステップＳ５１０に処理が進められ、撮影を行わないと判定された場合、ステップＳ５１７（図４６）に処理が進められる。
【０３５１】
ステップＳ５１０において、ステップＳ５０８の処理で表示されたガイダンス画面の用途の中から、利用者による用途の選択を受け付ける。用途が選択されると、ステップＳ５１１において、ステップＳ５１０において選択された用途に応じた前景や背景の画像である、携帯送信後利用画像（使えるプリ画）用の合成用画像を選択させるための合成用画像選択画面（GUI）を、タッチパネルモニタ９３に表示する。
【０３５２】
ステップＳ５１２において、ステップＳ５１１の処理で表示された合成用画像の中から、利用者による合成用画像の選択を１枚分だけ受け付ける。ステップＳ５１３において、使えるプリ画用の合成用画像とカメラ９１の取り込み画像が合成され、タッチパネルモニタ９３に表示（ライブビュー表示）される。
【０３５３】
ステップＳ５１４において、タッチパネルモニタ９３等にカウントダウンインジケータが表示され、カメラ９１が制御されて撮影が行われ、撮影画像が取得される。ステップＳ５１５において、撮影画像に合成用画像（メッセージ画像）が合成され、撮影画像とは別に、携帯送信後利用画像（使えるプリ画）が生成される。さらにステップＳ５１６において、得られた撮影画像および携帯送信後利用画像（使えるプリ画）がタッチパネルモニタ９３等に表示され、利用者に撮影画像および携帯送信後利用画像（使えるプリ画）を、撮影結果として確認させる。
【０３５４】
ステップＳ５１６の後、処理は、図４６のステップＳ５１７に進められる。ステップＳ５１７乃至Ｓ５３４の処理は、ステップＳ３８（図１９）乃至Ｓ５３（図２０）の処理と同様の処理なので、その説明は省略する。
【０３５５】
ステップＳ５３３において、ステップＳ５１０において選択された「お祝いメール」、「ブログデコ」、および「コーデアルバム」のうちのいずれか１つの用途を表す用途情報が生成される。ステップＳ５３４において、携帯送信後利用画像および合成用画像が合成された撮影画像を、生成された用途情報を含む付加情報とともに記憶部２０２（図１５）に記憶させる。付加情報には、上述した用途情報の他、携帯送信後利用画像用の合成用画像に含まれるテキスト（文章）や画像等のデータが含まれる。
【０３５６】
ステップＳ５３４の処理が終了すると、撮影処理は終了され、処理は、図１８のステップＳ２に戻る。
【０３５７】
以上の処理によれば、利用者に、通常の撮影を行わせるのに加えて、携帯端末に送信されてから利用される携帯送信後利用画像の用途を選択させ、その用途に応じた合成用画像を選択して撮影を行わせることができるようになる。これにより、利用者に、撮影時に、得られる画像が携帯端末に送信されることを意識させることができるので、最終的に携帯端末に送信されてきた画像を、利用者の満足のいくものとすることができ、利用者にとってより満足度の高い画像を提供することが可能となる。
【０３５８】
このような撮影処理が行われたときの編集処理や事後接客処理は、上記した場合と同様に行うことが可能であるので、ここでは、その説明を省略するが、画像送信に係わる処理は異なる処理を含むため、ここで説明を加える。
【０３５９】
［画像送信に係わる処理３について］
図４７に示したフローチャートを参照し、撮影時に携帯送信用の画像の撮影が行われる場合の画像送信に係わる処理について説明する。ステップＳ６０１において、携帯送信後利用画像を撮影したか否かが判定される。図４５のステップＳ５０９において、携帯送信用の撮影を行うと判定されたときには、携帯送信後利用画像を撮影したと判定され、携帯送信用の撮影を行わないと判定されたときには、携帯送信後利用画像を撮影しなかったと判定される。
【０３６０】
ステップＳ６０１において、携帯送信後利用画像を撮影したと判定された場合、ステップＳ６０３に処理が進められ、全画像が、写真シール作成装置１から管理サーバ３に対して送信される。この場合、携帯送信後利用画像が撮影されたので、利用者は携帯送信を望んでいると判定でき、そのような要望に応えるために、ステップＳ６０３において全画像が管理サーバ３に送信される。
【０３６１】
一方、ステップＳ６０１において、携帯送信後利用画像を撮影していないと判定された場合、ステップＳ６０２に処理が進められ、ケータイおまけの作成が行われたか否かが判定される。撮影時に、携帯送信用の画像を撮影していなくても、他の撮影画像を携帯端末２の待受画面などにしたいために、ケータイおまけの作成が行われる場合もある。そこで、ステップＳ６０２において、ケータイおまけの作成が行われたか否かが判定される。
【０３６２】
ステップＳ６０２において、ケータイおまけの作成が行われたと判定された場合、利用者は携帯送信を行いたいと所望していると判定できるので、ステップＳ６０３に処理が進められ、全画像が管理サーバ３に送信される。
【０３６３】
一方、ステップＳ６０２において、ケータイおまけは作成されていないと判定された場合、画像送信に係わる処理は終了される。この場合、撮影時に携帯用画像の撮影が行われず、編集時にも携帯送信用の画像の編集が行われなかったため、利用者は携帯送信を望んでいないと判定できる。よってこのような場合には、管理サーバ３に全画像を送信する処理は省略され、画像送信に係わる処理は終了される。
【０３６４】
このように、利用者が携帯送信を望んでいると判定できるときには、管理サーバ３に写真シール作成装置１から全画像が送信されるようにすることで、利用者の要望に対応することができる。
【０３６５】
［画像送信に係わる他の処理について］
図４５に示したフローチャートを参照して説明した撮影処理は、ステップＳ５０９において、携帯送信用の画像の撮影を行うか否かを判定する処理が行われるとして説明した。このステップＳ５０９における判定処理は、上記したように、省略することも可能である。すなわち、携帯送信用の画像の撮影を必ず行うコースを有する写真シール作成装置１においては、携帯送信用の画像の撮影が常に行われるように構成することも可能である。
【０３６６】
このような場合、携帯送信用の画像が必ず撮影されるので、写真シール作成装置１から管理サーバ３に、必ず全画像が送信されるようにようにする。すなわち、例えば図４７に示したフローチャートにおいて、ステップＳ６０３の全画像を送信するという処理のみが、画像送信に係わる処理として実行されるように構成することも可能である。
【０３６７】
本技術によれば、携帯送信する意図のある利用者に対して、アドレス入力や事後接客ゲームの選択の時間切れ（タイムアウト）にも関わらず、必ず利用者は画像を得ることができるため、利用者の不満が解消され、満足度を高めることが可能となる。
【０３６８】
なお、上述した実施の形態においては、全画像として、撮影の結果得られた撮影画像と、編集の結果得られた編集画像が送信されるとしたが、どちらか一方のみでも良い。撮影画像の全画像を送信するようにしても良いし、編集画像の全画像を送信するようにしても良い。また、全画像ではなく、撮影画像または編集画像から選択された画像が送信されるようにしても良い。
【０３６９】
［記録媒体について］
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０３７０】
この記録媒体は、例えば、図１５に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０３７１】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３７２】
また、本明細書において、システムとは、複数の装置により構成される装置全体を表すものである。
【０３７３】
なお、本技術の実施の形態は、上述した実施の形態に限定されるものではなく、本技術の要旨を逸脱しない範囲において種々の変更が可能である。
【符号の説明】
【０３７４】
１  写真シール作成装置，  １１  撮影ユニット，  １２  編集部，  １３  事後接客部，  ２０１  制御部，  ２０８  撮影部，  ２０９  編集部，  ２１０  事後接客部，  ３０１  撮影処理部，  ３０２  編集処理部，  ３０３  印刷処理部，  ３０４  事後接客処理部
【図１】
0005720662.tif 000002
【図２】
0005720662.tif 000003
【図３】
0005720662.tif 000004
【図４】
0005720662.tif 000005
【図５】
0005720662.tif 000006
【図６】
0005720662.tif 000007
【図７】
0005720662.tif 000008
【図８】
0005720662.tif 000009
【図９】
0005720662.tif 000010
【図１０】
0005720662.tif 000011
【図１１】
0005720662.tif 000012
【図１２】
0005720662.tif 000013
【図１３】
0005720662.tif 000014
【図１４】
0005720662.tif 000015
【図１５】
0005720662.tif 000016
【図１６】
0005720662.tif 000017
【図１７】
0005720662.tif 000018
【図１８】
0005720662.tif 000019
【図１９】
0005720662.tif 000020
【図２０】
0005720662.tif 000021
【図２１】
0005720662.tif 000022
【図２２】
0005720662.tif 000023
【図２３】
0005720662.tif 000024
【図２４】
0005720662.tif 000025
【図２５】
0005720662.tif 000026
【図２６】
0005720662.tif 000027
【図２７】
0005720662.tif 000028
【図２８】
0005720662.tif 000029
【図２９】
0005720662.tif 000030
【図３０】
0005720662.tif 000031
【図３１】
0005720662.tif 000032
【図３２】
0005720662.tif 000033
【図３３】
0005720662.tif 000034
【図３４】
0005720662.tif 000035
【図３５】
0005720662.tif 000036
【図３６】
0005720662.tif 000037
【図３７】
0005720662.tif 000038
【図３８】
0005720662.tif 000039
【図３９】
0005720662.tif 000040
【図４０】
0005720662.tif 000041
【図４１】
0005720662.tif 000042
【図４２】
0005720662.tif 000043
【図４３】
0005720662.tif 000044
【図４４】
0005720662.tif 000045
【図４５】
0005720662.tif 000046
【図４６】
0005720662.tif 000047
【図４７】
0005720662.tif 000048